(57)【要約】  本願の実施形態は、オフロード方法、および、ローミングシナリオにおける関連するデバイスを開示し、ローミング加入者の加入サービスのトラフィックがホーム位置にループバックすることを防止し、それにより、ネットワーク間トラフィック消費を低減し、ローミング位置の端末のローカルブレイクアウト機能を実装し、サービス品質を改善する。本願の本実施形態における方法は、訪問先コアネットワーク制御プレーンＶ−ＣＰが、ホームコアネットワーク制御プレーンＨ−ＣＰによって送信された第１メッセージを受信する段階であって、第１メッセージは、加入サービスに基づくローカルブレイクアウトＬＢＯポリシーを含み、加入サービスは、ローカルブレイクアウトが実行される必要がある、ユーザのサービスである、段階と、Ｖ−ＣＰが、ＬＢＯポリシーを訪問先コアネットワークユーザプレーンＶ−ＵＰへ送信する段階であって、その結果、ＬＢＯポリシーはＶ−ＵＰにインストールされて、加入サービスのためのローカルブレイクアウト処理が実装される、段階とを備える。
2020532204.tif 000002
【特許請求の範囲】
【請求項１】
ローミングシナリオにおけるトラフィックオフロード方法であって、
訪問先コアネットワーク制御プレーンＶ−ＣＰが、ホームコアネットワーク制御プレーンＨ−ＣＰによって送信された第１メッセージを受信する段階であって、前記第１メッセージは、加入サービスに基づくローカルブレイクアウトＬＢＯポリシーを含み、前記加入サービスは、ローカルブレイクアウトが実行される必要がある、ユーザのサービスである、段階と、
前記Ｖ−ＣＰが、前記ＬＢＯポリシーを訪問先コアネットワークユーザプレーンＶ−ＵＰへ送信する段階であって、その結果、前記ＬＢＯポリシーは前記Ｖ−ＵＰにインストールされて、前記加入サービスのためのローカルブレイクアウト処理が実装される、段階と
を備える方法。
【請求項２】
訪問先コアネットワーク制御プレーンＶ−ＣＰが、ホームコアネットワーク制御プレーンＨ−ＣＰによって送信された第１メッセージを受信する前記段階は、
前記Ｖ−ＣＰが、訪問先セッション管理機能Ｖ−ＳＭＦエンティティを使用することによって、ホームセッション管理機能Ｈ−ＳＭＦエンティティによって送信された第１メッセージを受信する段階であって、前記第１メッセージは、前記加入サービスに基づく前記ＬＢＯポリシーを含む、段階、または、
前記Ｖ−ＣＰが、訪問先ポリシー制御機能Ｖ−ＰＣＦエンティティを使用することによって、ホームポリシー制御機能Ｈ−ＰＣＦエンティティによって送信された第１メッセージを受信する段階であって、前記第１メッセージは、前記加入サービスに基づく前記ＬＢＯポリシーを含む、段階
を含む、請求項１に記載の方法。
【請求項３】
前記Ｖ−ＣＰが、訪問先セッション管理機能Ｖ−ＳＭＦエンティティを使用することによって、ホームセッション管理機能Ｈ−ＳＭＦエンティティによって送信された第１メッセージを受信する前記段階の後であって、前記Ｖ−ＣＰが、前記ＬＢＯポリシーを訪問先コアネットワークユーザプレーンＶ−ＵＰへ送信する前記段階の前に、前記方法はさらに、
前記Ｖ−ＣＰが、前記Ｖ−ＳＭＦを使用することによって、前記ＬＢＯポリシーを前記訪問先ポリシー制御機能Ｖ−ＰＣＦエンティティへ送信する段階と、
前記Ｖ−ＣＰが、前記Ｖ−ＰＣＦを使用することによって、前記ＬＢＯポリシーが有効かどうかを決定する段階と
を備える、請求項２に記載の方法。
【請求項４】
前記Ｖ−ＣＰが、訪問先ポリシー制御機能Ｖ−ＰＣＦエンティティを使用することによって、ホームポリシー制御機能Ｈ−ＰＣＦエンティティによって送信された第１メッセージを受信する前記段階の後であって、前記Ｖ−ＣＰが、前記ＬＢＯポリシーを訪問先コアネットワークユーザプレーンＶ−ＵＰへ送信する前記段階の前に、前記方法はさらに、
前記Ｖ−ＣＰが、前記Ｖ−ＰＣＦを使用することによって、前記ＬＢＯポリシーが有効かどうかを決定する段階
を備える、請求項２に記載の方法。
【請求項５】
前記Ｖ−ＣＰが、前記ＬＢＯポリシーを訪問先コアネットワークユーザプレーンＶ−ＵＰへ送信する前記段階は、
前記Ｖ−ＣＰが、前記Ｖ−ＳＭＦを使用することによって、前記ＬＢＯポリシーを前記Ｖ−ＵＰへ送信する段階を含む、請求項１から４のいずれか一項に記載の方法。
【請求項６】
ローミングシナリオにおけるトラフィックオフロード方法であって、
ホームコアネットワーク制御プレーンＨ−ＣＰが、加入サービスに基づくローカルブレイクアウトＬＢＯポリシーを取得する段階であって、前記加入サービスは、ローカルブレイクアウトが実行される必要がある、ユーザのサービスである段階と、
前記Ｈ−ＣＰが、第１メッセージを訪問先コアネットワーク制御プレーンＶ−ＣＰへ送信する段階であって、前記第１メッセージは前記ＬＢＯポリシーを含む、段階と
を備える方法。
【請求項７】
前記Ｈ−ＣＰが、第１メッセージを訪問先コアネットワーク制御プレーンＶ−ＣＰへ送信する前記段階は、
前記Ｈ−ＣＰが、ホームセッション管理機能Ｈ−ＳＭＦエンティティを使用することによって、第１メッセージを訪問先セッション管理機能Ｖ−ＳＭＦエンティティへ送信する段階であって、前記第１メッセージは前記ＬＢＯポリシーを含む、段階を含む、請求項６に記載の方法。
【請求項８】
前記Ｈ−ＣＰが第１メッセージを訪問先コアネットワーク制御プレーンＶ−ＣＰへ送信する前記段階は、
前記Ｈ−ＣＰが、ホームポリシー制御機能Ｈ−ＰＣＦエンティティを使用することによって、前記第１メッセージを訪問先ポリシー制御機能Ｖ−ＰＣＦエンティティへ送信する段階であって、前記第１メッセージは前記ＬＢＯポリシーを含む、段階を含む、請求項６に記載の方法。
【請求項９】
ホームコアネットワーク制御プレーンＨ−ＣＰが、加入サービスに基づくローカルブレイクアウトＬＢＯポリシーを取得する前記段階は、
前記Ｈ−ＣＰが、前記ホームセッション管理機能Ｈ−ＳＭＦエンティティを使用することによって、前記ＬＢＯポリシーを構成する段階、
前記Ｈ−ＣＰが、ホームアプリケーションサーバＨ−ＡＳによって送信された第２メッセージを受信する段階であって、前記第２メッセージは前記ＬＢＯポリシーを含む、段階、または、
前記Ｈ−ＣＰが、前記ＬＢＯポリシーを前記ホームポリシー制御機能Ｈ−ＰＣＦエンティティから取得する段階
を含む、請求項６から８のいずれか一項に記載の方法。
【請求項１０】
前記第１メッセージは、ローミング位置の事業者のグラント情報を含む、請求項６から８のいずれか一項に記載の方法。
【請求項１１】
ローミングシナリオにおけるトラフィックオフロード方法であって、
ホームコアネットワーク制御プレーンＨ−ＣＰが、加入サービスに基づくローカルブレイクアウトＬＢＯポリシーを取得する段階であって、前記加入サービスは、ローカルブレイクアウトが実行される必要がある、ユーザのサービスである、段階と、
前記Ｈ−ＣＰが、第１メッセージを訪問先ローカルユーザプレーンＶ−Ｌｏｃａｌ−ＵＰへ送信する段階であって、前記第１メッセージは、前記ＬＢＯポリシーを含み、その結果、前記加入サービスのトラフィックは、訪問先アプリケーションサーバＶ−ＡＳへオフロードされる、段階と
を備える方法。
【請求項１２】
前記Ｈ−ＣＰが、第１メッセージを訪問先ローカルユーザプレーンＶ−Ｌｏｃａｌ−ＵＰへ送信する前記段階は、
前記Ｈ−ＣＰが、ホームセッション管理機能Ｈ−ＳＭＦエンティティを使用することによって、前記第１メッセージを前記訪問先ローカルユーザプレーンＶ−Ｌｏｃａｌ−ＵＰへ送信する段階を含む、請求項１１に記載の方法。
【請求項１３】
ローミングシナリオにおけるトラフィックオフロード方法であって、
訪問先ローカルユーザプレーンＶ−Ｌｏｃａｌ−ＵＰが、ホームコアネットワーク制御プレーンＨ−ＣＰによって送信された、加入サービスのためのローカルブレイクアウトＬＢＯポリシーを受信する段階であって、前記加入サービスは、ローカルブレイクアウトが実行される必要がある、ユーザのサービスである、段階と、
前記Ｖ−Ｌｏｃａｌ−ＵＰが、前記ＬＢＯポリシーをインストールする段階と、
訪問先コアネットワークユーザプレーンＶ−ＵＰによって送信されたサービスが加入サービスであると前記Ｖ−Ｌｏｃａｌ−ＵＰが決定した場合、前記Ｖ−Ｌｏｃａｌ−ＵＰが、前記加入サービスのトラフィックを訪問先アプリケーションサーバＶ−ＡＳにオフロードする段階と
を備える方法。
【請求項１４】
訪問先ローカルユーザプレーンＶ−Ｌｏｃａｌ−ＵＰが、ホームコアネットワーク制御プレーンＨ−ＣＰによって送信された、加入サービスのためのローカルブレイクアウトＬＢＯポリシーを受信する前記段階は、
前記Ｖ−Ｌｏｃａｌ−ＵＰが、ホームセッション管理機能Ｈ−ＳＭＦエンティティによって送信された、前記加入サービスのためのローカルブレイクアウトＬＢＯポリシーを受信する段階を含む、請求項１３に記載の方法。
【請求項１５】
ネットワークデバイスであって、
ホームコアネットワーク制御プレーンＨ−ＣＰによって送信された第１メッセージを受信するよう構成される受信ユニットであって、前記第１メッセージは、加入サービスに基づくローカルブレイクアウトＬＢＯポリシーを含み、前記加入サービスは、ローカルブレイクアウトが実行される必要がある、ユーザのためのサービスである、受信ユニットと、
前記ＬＢＯポリシーを訪問先コアネットワークユーザプレーンＶ−ＵＰへ送信し、その結果、前記ＬＢＯポリシーは前記Ｖ−ＵＰにインストールされ、前記加入サービスのためのローカルブレイクアウト処理が実装されるよう構成される第１送信ユニットと
を備えるネットワークデバイス。
【請求項１６】
前記受信ユニットは、具体的には、
訪問先セッション管理機能Ｖ−ＳＭＦエンティティを使用することによって、ホームセッション管理機能Ｈ−ＳＭＦエンティティによって送信された、前記加入サービスに基づく前記ＬＢＯポリシーを含む第１メッセージを受信する、または、
訪問先ポリシー制御機能Ｖ−ＰＣＦエンティティを使用することによって、ホームポリシー制御機能Ｈ−ＰＣＦエンティティによって送信された、前記加入サービスに基づく前記ＬＢＯポリシーを含む第１メッセージを受信する
よう構成される、請求項１５に記載のネットワークデバイス。
【請求項１７】
前記Ｖ−ＣＰが、訪問先セッション管理機能Ｖ−ＳＭＦエンティティを使用することによって、ホームセッション管理機能Ｈ−ＳＭＦエンティティよって送信された第１メッセージを受信した後であって、前記Ｖ−ＣＰが、前記ＬＢＯポリシーを訪問先コアネットワークユーザプレーンＶ−ＵＰへ送信する前に、前記ネットワークデバイスはさらに、
前記Ｖ−ＳＭＦを使用することによって、前記ＬＢＯポリシーを前記訪問先ポリシー制御機能Ｖ−ＰＣＦエンティティへ送信するよう構成される第２送信ユニットと、
前記Ｖ−ＰＣＦを使用することによって、前記ＬＢＯポリシーが有効かどうかを決定するよう構成される第１決定ユニットと
を備える、請求項１６に記載のネットワークデバイス。
【請求項１８】
前記Ｖ−ＣＰが、訪問先ポリシー制御機能Ｖ−ＰＣＦエンティティを使用することによって、ホームポリシー制御機能Ｈ−ＰＣＦエンティティによって送信された第１メッセージを受信した後であって、前記Ｖ−ＣＰが、前記ＬＢＯポリシーを訪問先コアネットワークユーザプレーンＶ−ＵＰへ送信する前に、前記ネットワークデバイスはさらに、
前記Ｖ−ＰＣＦを使用することによって、前記ＬＢＯポリシーが有効かどうかを決定するよう構成される第２決定ユニットを備える、請求項１６に記載のネットワークデバイス。
【請求項１９】
前記第１送信ユニットは具体的には、
前記Ｖ−ＳＭＦを使用することによって、前記ＬＢＯポリシーを前記Ｖ−ＵＰへ送信するよう構成される、請求項１５から１８のいずれか一項に記載のネットワークデバイス。
【請求項２０】
ネットワークデバイスであって、
加入サービスに基づくローカルブレイクアウトＬＢＯポリシーを取得するよう構成される取得ユニットであって、前記加入サービスは、ローカルブレイクアウトが実行される必要がある、ユーザのサービスである、取得ユニットと、
第１メッセージを訪問先コアネットワーク制御プレーンＶ−ＣＰへ送信するよう構成される送信ユニットであって、前記第１メッセージは前記ＬＢＯポリシーを含む、送信ユニットと
を備えるネットワークデバイス。
【請求項２１】
前記送信ユニットは、
ホームセッション管理機能Ｈ−ＳＭＦエンティティを使用することによって、第１メッセージを訪問先セッション管理機能Ｖ−ＳＭＦエンティティへ送信するよう構成される第１送信サブユニットであって、前記第１メッセージは前記ＬＢＯポリシーを含む、第１送信サブユニットを有する、請求項２０に記載のネットワークデバイス。
【請求項２２】
前記送信ユニットは、
ホームポリシー制御機能Ｈ−ＰＣＦエンティティを使用することによって、前記第１メッセージを訪問先ポリシー制御機能Ｖ−ＰＣＦエンティティへ送信するよう構成される第２送信サブユニットであって、前記第１メッセージは前記ＬＢＯポリシーを含む、第２送信サブユニットを有する、請求項２０に記載のネットワークデバイス。
【請求項２３】
前記取得ユニットは具体的には、
前記ホームセッション管理機能Ｈ−ＳＭＦエンティティを使用することによって、前記ＬＢＯポリシーを構成する、
ホームアプリケーションサーバＨ−ＡＳによって送信された、前記ＬＢＯポリシーを含む第２メッセージを受信する、または、
前記ＬＢＯポリシーを前記ホームポリシー制御機能Ｈ−ＰＣＦエンティティから取得する
よう構成される、請求項２０から２２のいずれか一項に記載のネットワークデバイス。
【請求項２４】
前記第１メッセージは、ローミング位置の事業者のグラント情報を含む、請求項２０から２２のいずれか一項に記載のネットワークデバイス。
【請求項２５】
加入サービスに基づいて、ローカルブレイクアウトＬＢＯポリシーを取得するよう構成される取得ユニットであって、前記加入サービスは、ローカルブレイクアウトが実行される必要がある、ユーザのサービスである、取得ユニットと、
第１メッセージを訪問先ローカルユーザプレーンＶ−Ｌｏｃａｌ−ＵＰへ送信するよう構成される送信ユニットであって、前記第１メッセージは前記ＬＢＯポリシーを含み、その結果、前記加入サービスのトラフィックは訪問先アプリケーションサーバＶ−ＡＳにオフロードされる、送信ユニットと
を備えるネットワークデバイス。
【請求項２６】
前記送信ユニットは具体的には、
ホームセッション管理機能Ｈ−ＳＭＦエンティティを使用することによって、前記第１メッセージを前記訪問先ローカルユーザプレーンＶ−Ｌｏｃａｌ−ＵＰへ送信するよう構成される、請求項２５に記載のネットワークデバイス。
【請求項２７】
ネットワークデバイスであって、
ホームコアネットワーク制御プレーンＨ−ＣＰによって送信された、加入サービスのためのローカルブレイクアウトＬＢＯポリシーを受信することであって、前記加入サービスは、ローカルブレイクアウトが実行される必要がある、ユーザのためのサービスである、受信することを行うよう構成される受信ユニットと、
前記ＬＢＯポリシーをインストールするよう構成されるインストールユニットと、
前記Ｖ−Ｌｏｃａｌ−ＵＰが、訪問先コアネットワークユーザプレーンＶ−ＵＰによって送信されたサービスが加入サービスであると決定した場合、前記加入サービスのトラフィックを訪問先アプリケーションサーバＶ−ＡＳにオフロードするよう構成されるオフロードユニットと
を備えるネットワークデバイス。
【請求項２８】
前記受信ユニットは具体的には、
ホームセッション管理機能Ｈ−ＳＭＦエンティティによって送信された、加入サービスのためのローカルブレイクアウトＬＢＯポリシーを受信するよう構成される、請求項２７に記載のネットワークデバイス。
【請求項２９】
命令を含むコンピュータ可読記憶媒体であって、前記命令がコンピュータ上で動作するとき、前記コンピュータは、請求項１から１４のいずれか一項に記載の方法を実行することが可能になる、コンピュータ可読記憶媒体。
【請求項３０】
命令を含むコンピュータプログラムプロダクトであって、前記コンピュータプログラムプロダクトがコンピュータ上で動作するとき、前記コンピュータは、請求項１から１４のいずれか一項に記載の方法を実行することが可能になる、コンピュータプログラムプロダクト。
【発明の詳細な説明】
【技術分野】
【０００１】
本願は、「トラフィックオフロード方法およびローミングシナリオにおける関連するデバイス」と題する、２０１７年８月３１日に中国特許庁に出願された中国特許出願第２０１７１０７７６５６３．３号の優先権を主張するものであり、それは参照によって全体として本明細書に組み込まれる。
【０００２】
本願は、通信技術の分野に関連し、特に、トラフィックオフロード方法およびローミングシナリオにおける関連するデバイスに関する。
【背景技術】
【０００３】
現在、ユーザは端末を使用するとき、端末のホーム位置から離れることがあり得る。この場合、端末は、ユーザのローミング位置でアクセスを実行する必要があり、それにより、端末がネットワークに通常にアクセスすることを保証する。加入者ローミングハンドオーバーの場合においてサービス継続性を保証するべく、事業者ネットワーク間でネットワーク接続が確立される必要があり、ローミング契約が締結される必要がある。事業者によって締結されるローミング契約に従って、事業者は、ローミング加入者のネットワークアクセスに対してアドミッション制御を実行し、ローミングサービスに対して対応するオペレーション管理を実行するために、ローミング制御ポリシーを構成する。
【０００４】
現在の２Ｇ／３Ｇ／４Ｇ／４．５Ｇネットワークアーキテクチャにおいて、ユーザが別の事業者のネットワークにローミングするとき、ユーザデータサービスにおいて、ホームルーティング（Ｈｏｍｅ  Ｒｏｕｔｅｄ）がアクセスのために通常選択され、ホーム位置に戻ってアクセスが行われる。この場合、図１Ａに示されるように、ユーザがローミング位置のローカルサービスにアクセスする場合でも、ユーザは、ホーム位置からローミング位置まで迂回する必要がある。図１Ｂに示されるように、ユーザは代替的に、ローミング位置のローカルブレイクアウト（Ｌｏｃａｌ  Ｂｒｅａｋｏｕｔ）をアクセスのために選択し得て、その結果、端末のユーザがホーム位置のサービスにアクセスするとき、遅延および比較的低いサービス品質が生じる。
【０００５】
当該技術的解決法が使用されるとき、インターネットを通じてユーザにさまざまなアプリケーションサービスを提供する（ｏｖｅｒ  ｔｈｅ  ｔｏｐ、ＯＴＴ）サービスプロバイダまたはコンテンツプロバイダ（Ｃｏｎｔｅｎｔ  Ｐｒｏｖｉｄｅｒ）は、ホーム位置の近くにコンテンツ配信ネットワーク（ｃｏｎｔｅｎｔ  ｄｅｌｉｖｅｒｙ  ｎｅｔｗｏｒｋ、ＣＤＮ）サーバをデプロイしてローカルブレイクアウトを実装し、それにより、サービスアクセス品質を改善して、消費されるネットワーク間トラフィックを低減する。このシナリオにおいて、すべてのサービストラフィックは、ホームコアネットワークユーザプレーン（ｈｏｍｅ  ｕｓｅｒ  ｐｌａｎｅ、Ｈ−ＵＰ）にループバックし、次に、Ｇｉ側へオフロードされ、インターネットを通じて訪問先ＣＤＮサーバにループバックする。結果として、大量のネットワーク間トラフィックが消費され、サービスアクセス遅延が増加する。
【発明の概要】
【０００６】
本願の実施形態は、オフロード方法、および、ローミングシナリオにおける関連するデバイスを提供し、ローミング加入者の加入サービスのトラフィックがホーム位置にループバックすることを防止し、それにより、ネットワーク間トラフィック消費を低減し、ローミング位置の端末のローカルブレイクアウト機能を実装し、サービス品質を改善する。
【０００７】
本願の実施形態の第１態様は、ローミングシナリオにおけるオフロード方法を提供し、当該方法は、訪問先コアネットワーク制御プレーンＶ−ＣＰが、ホームコアネットワーク制御プレーンＨ−ＣＰによって送信された第１メッセージを受信する段階であって、第１メッセージは、加入サービスに基づくローカルブレイクアウトＬＢＯポリシーを含み、加入サービスは、ローカルブレイクアウトが実行される必要がある、ユーザのサービスである、段階と、Ｖ−ＣＰが、ＬＢＯポリシーを訪問先コアネットワークユーザプレーンＶ−ＵＰへ送信する段階であって、その結果、ＬＢＯポリシーはＶ−ＵＰにインストールされて、加入サービスのためのローカルブレイクアウト処理が実装される、段階とを備える。本願の本実施形態において、Ｈ−ＣＰによって送信された加入サービスのローカルブレイクアウトポリシーは、Ｖ−ＣＰを使用することによって受信され、ローカルブレイクアウトポリシーは、インストールのためにＶ−ＵＰへ配信され、それにより、ローミング位置で端末の加入サービスのオフロードを実装し、ローミング位置とホーム位置との間でネットワーク間トラフィック消費を低減し、ローミング位置で端末のローカルブレイクアウト機能を実装し、サービス品質を改善する。
【０００８】
可能な設計において、本願の本実施形態の第１態様の第１の実装において、訪問先コアネットワーク制御プレーンＶ−ＣＰが、ホームコアネットワーク制御プレーンＨ−ＣＰによって送信された第１メッセージを受信する段階は、Ｖ−ＣＰが、訪問先セッション管理機能Ｖ−ＳＭＦエンティティを使用することによって、ホームセッション管理機能Ｈ−ＳＭＦエンティティによって送信された第１メッセージを受信する段階であって、第１メッセージは、加入サービスに基づくＬＢＯポリシーを含む、段階、または、Ｖ−ＣＰが、訪問先ポリシー制御機能Ｖ−ＰＣＦエンティティを使用することによって、ホームポリシー制御機能Ｈ−ＰＣＦエンティティによって送信された第１メッセージを受信する段階であって、第１メッセージは、加入サービスに基づくＬＢＯポリシーを含む、段階を含む。本願の本実施形態において、Ｖ−ＣＰがローカルブレイクアウトポリシーを受信するプロセスは精緻化され、本願の本実施形態の実装および操作は、より容易になる。
【０００９】
可能な設計において、本願の本実施形態の第１態様の第２の実装において、Ｖ−ＣＰが、訪問先セッション管理機能Ｖ−ＳＭＦエンティティを使用することによって、ホームセッション管理機能Ｈ−ＳＭＦエンティティによって送信された第１メッセージを受信した後であって、Ｖ−ＣＰが、ＬＢＯポリシーを訪問先コアネットワークユーザプレーンＶ−ＵＰへ送信する前に、当該方法はさらに、Ｖ−ＣＰが、Ｖ−ＳＭＦを使用することによって、ＬＢＯポリシーを訪問先ポリシー制御機能Ｖ−ＰＣＦエンティティへ送信する段階、または、Ｖ−ＣＰが、Ｖ−ＰＣＦを使用することによって、ＬＢＯポリシーが有効かどうかを決定する段階を備える。本願の本実施形態において、Ｖ−ＣＰがローカルブレイクアウトポリシーを認証するプロセスが追加され、本願の本実施形態の可能な実装が追加される。
【００１０】
可能な設計において、本願の本実施形態の第１態様の第３の実装において、Ｖ−ＣＰが、訪問先ポリシー制御機能Ｖ−ＰＣＦエンティティを使用することによって、ホームポリシー制御機能Ｈ−ＰＣＦエンティティによって送信された第１メッセージを受信した後であって、Ｖ−ＣＰが、ＬＢＯポリシーを訪問先コアネットワークユーザプレーンＶ−ＵＰへ送信する前に、当該方法はさらに、Ｖ−ＣＰが、Ｖ−ＰＣＦを使用することによって、ＬＢＯポリシーが有効かどうかを決定する段階を備える。本願の本実施形態において、Ｖ−ＣＰがローカルブレイクアウトポリシーを認証するプロセスが追加され、本願の本実施形態の可能な実装が追加される。
【００１１】
可能な設計において、本願の本実施形態の第１態様の第４の実装において、Ｖ−ＣＰが、ＬＢＯポリシーを訪問先コアネットワークユーザプレーンＶ−ＵＰへ送信することは、Ｖ−ＣＰが、Ｖ−ＳＭＦを使用することによって、ＬＢＯポリシーをＶ−ＵＰへ送信することを含む。本願の本実施形態において、Ｖ−ＣＰがＶ−ＳＭＦを使用することによってローカルブレイクアウトポリシーを送信するプロセスは精緻化され、本願の本実施形態の実装および操作がより容易になる。
【００１２】
本願の実施形態の第２態様は、ローミングシナリオにおけるオフロード方法を提供し、当該方法は、ホームコアネットワーク制御プレーンＨ−ＣＰが、加入サービスに基づくローカルブレイクアウトＬＢＯポリシーを取得する段階であって、加入サービスは、ローカルブレイクアウトが実行される必要がある、ユーザのサービスである段階と、Ｈ−ＣＰが、第１メッセージを訪問先コアネットワーク制御プレーンＶ−ＣＰへ送信する段階であって、第１メッセージはＬＢＯポリシーを含む、段階とを備える。本願の本実施形態において、加入サービスのローカルブレイクアウトポリシーは、Ｈ−ＣＰを使用することによって取得され、加入サービスのローカルブレイクアウトポリシーはＶ−ＣＰへ送信され、それにより、ローミング位置の端末の加入サービスのオフロードを実装し、ローミング位置とホーム位置との間のネットワーク間トラフィック消費を低減し、ローミング位置の端末のローカルブレイクアウト機能を実装し、サービス品質を改善する。
【００１３】
可能な設計において、本願の本実施形態の第２態様の第１の実装において、Ｈ−ＣＰが、第１メッセージを訪問先コアネットワーク制御プレーンＶ−ＣＰへ送信する段階は、Ｈ−ＣＰが、ホームセッション管理機能Ｈ−ＳＭＦエンティティを使用することによって、第１メッセージを訪問先セッション管理機能Ｖ−ＳＭＦエンティティへ送信する段階であって、第１メッセージはＬＢＯポリシーを含む段階を含む。本願の本実施形態において、Ｈ−ＣＰがローカルブレイクアウトポリシーを送信する具体的なプロセスが精緻化され、本願の本実施形態の実装および操作は、より容易になる。
【００１４】
可能な設計において、本願の本実施形態の第２態様の第２の実装において、Ｈ−ＣＰが第１メッセージを訪問先コアネットワーク制御プレーンＶ−ＣＰへ送信する段階は、Ｈ−ＣＰが、ホームポリシー制御機能Ｈ−ＰＣＦエンティティを使用することによって、第１メッセージを訪問先ポリシー制御機能Ｖ−ＰＣＦエンティティへ送信する段階であって、第１メッセージはＬＢＯポリシーを含む、段階を含む。本願の本実施形態において、Ｈ−ＣＰがローカルブレイクアウトポリシーを送信する具体的なプロセスが精緻化され、本願の本実施形態の実装および操作は、より容易になる。
【００１５】
可能な設計において、本願の本実施形態の第２態様の第３の実装において、ホームコアネットワーク制御プレーンＨ−ＣＰが加入サービスに基づくローカルブレイクアウトＬＢＯポリシーを取得する段階は、Ｈ−ＣＰが、ホームセッション管理機能Ｈ−ＳＭＦエンティティを使用することによってＬＢＯポリシーを構成する段階、Ｈ−ＣＰが、ホームアプリケーションサーバＨ−ＡＳによって送信された第２メッセージを受信する段階であって、第２メッセージはＬＢＯポリシーを含む、段階、または、Ｈ−ＣＰが、ホームポリシー制御機能Ｈ−ＰＣＦエンティティからＬＢＯポリシーを取得する段階を含む。本願の本実施形態において、Ｈ−ＣＰがローカルブレイクアウトポリシーを取得する特定の方式は精緻化され、本願の本実施形態の実装および操作は、より容易になる。
【００１６】
可能な設計において、本願の本実施形態の第２態様の第４の実装において、第１メッセージは、ローミング事業者のグラント情報を含む。本願の本実施形態において、第１メッセージの構成は限定され、その結果、本願の本実施形態の段階は、より完全になる。
【００１７】
本願の実施形態の第３態様は、ローミングシナリオにおけるオフロード方法を提供し、当該方法は、ホームコアネットワーク制御プレーンＨ−ＣＰが、加入サービスに基づくローカルブレイクアウトＬＢＯポリシーを取得する段階であって、加入サービスは、ローカルブレイクアウトが実行される必要がある、ユーザのサービスである、段階と、Ｈ−ＣＰが、第１メッセージを訪問先ローカルユーザプレーンＶ−Ｌｏｃａｌ−ＵＰへ送信する段階であって、第１メッセージは、ＬＢＯポリシーを含み、その結果、加入サービスのトラフィックは、訪問先アプリケーションサーバＶ−ＡＳへオフロードされる、段階とを備える。本願の本実施形態において、加入サービスのローカルブレイクアウトポリシーは、Ｈ−ＣＰを使用することによって取得され、加入サービスのローカルブレイクアウトポリシーはＶ−Ｌｏｃａｌ−ＵＰへ送信され、それにより、ローミング位置の加入サービスのオフロードを実装し、ローミング位置とホーム位置との間のネットワーク間トラフィック消費を低減し、ローミング位置の端末のローカルブレイクアウト機能を実装し、サービス品質を改善する。
【００１８】
可能な設計において、本願の本実施形態の第２態様の第１の実装において、Ｈ−ＣＰが第１メッセージを訪問先ローカルユーザプレーンＶ−Ｌｏｃａｌ−ＵＰへ送信する段階は、Ｈ−ＣＰが、ホームセッション管理機能Ｈ−ＳＭＦエンティティを使用することによって、第１メッセージを訪問先ローカルユーザプレーンＶ−Ｌｏｃａｌ−ＵＰへ送信する段階を含む。本願の本実施形態において、Ｈ−ＣＰが第１メッセージを送信する具体的なプロセスが精緻化され、本願の本実施形態の実装および操作がより容易になる。
【００１９】
本願の本実施形態の第４態様は、ローミングシナリオにおけるオフロード方法を提供し、当該方法は、訪問先ローカルユーザプレーンＶ−Ｌｏｃａｌ−ＵＰが、ホームコアネットワーク制御プレーンＨ−ＣＰによって送信された、加入サービスに基づくローカルブレイクアウトＬＢＯポリシーを受信する段階であって、加入サービスは、ローカルブレイクアウトが実行される必要がある、ユーザのサービスである、段階と、Ｖ−Ｌｏｃａｌ−ＵＰが、ＬＢＯポリシーをインストールする段階と、訪問先コアネットワークユーザプレーンＶ−ＵＰによって送信されたサービスが加入サービスであるとＶ−Ｌｏｃａｌ−ＵＰが決定した場合、Ｖ−Ｌｏｃａｌ−ＵＰが、加入サービスのトラフィックを訪問先アプリケーションサーバＶ−ＡＳにオフロードする段階とを備える。本願の本実施形態において、Ｈ−ＣＰによって送信された加入サービスのローカルブレイクアウトポリシーは、Ｖ−Ｌｏｃａｌ−ＵＰを使用することによって受信され、ローカルブレイクアウトポリシーはＶ−Ｌｏｃａｌ−ＵＰにインストールされ、それにより、ローミング位置の加入サービスのオフロードを実装し、ローミング位置とホーム位置との間のネットワーク間トラフィック消費を低減し、ローミング位置の端末のローカルブレイクアウト機能を実装し、サービス品質を改善する。
【００２０】
可能な設計において、本願の本実施形態の第４態様の第１の実装において、訪問先ローカルユーザプレーンＶ−Ｌｏｃａｌ−ＵＰが、ホームコアネットワーク制御プレーンＨ−ＣＰによって送信された、加入サービスに基づくローカルブレイクアウトＬＢＯポリシーを受信する段階は、Ｖ−Ｌｏｃａｌ−ＵＰが、ホームセッション管理機能Ｈ−ＳＭＦエンティティによって送信された、加入サービスに基づくローカルブレイクアウトＬＢＯポリシーを受信する段階を含む。本願の本実施形態において、Ｖ−Ｌｏｃａｌ−ＵＰが第１メッセージを受信する具体的なプロセスは精緻化され、本願の本実施形態の実装および操作がより容易になる。
【００２１】
本願の実施形態の第５態様は、ネットワークデバイスを提供し、当該ネットワークデバイスは、ホームコアネットワーク制御プレーンＨ−ＣＰによって送信された第１メッセージを受信するよう構成される受信ユニットであって、第１メッセージは、加入サービスに基づくローカルブレイクアウトＬＢＯポリシーを含み、加入サービスは、ローカルブレイクアウトが実行される必要がある、ユーザのためのサービスである、受信ユニットと、ＬＢＯポリシーを訪問先コアネットワークユーザプレーンＶ−ＵＰへ送信し、その結果、ＬＢＯポリシーはＶ−ＵＰにインストールされ、加入サービスのためのローカルブレイクアウト処理が実装されるよう構成される第１送信ユニットとを備える。本願の本実施形態において、Ｈ−ＣＰによって送信された端末の加入サービスのローカルブレイクアウトポリシーは、Ｖ−ＣＰを使用することによって受信され、ローカルブレイクアウトポリシーは、インストールのためにＶ−ＵＰへ配信され、それにより、ローミング位置で端末の加入サービスのオフロードを実装し、ローミング位置とホーム位置との間でネットワーク間トラフィック消費を低減し、ローミング位置で端末のローカルブレイクアウト機能を実装し、サービス品質を改善する。
【００２２】
可能な設計において、本願の本実施形態の第５態様の第１の実装において、受信ユニットは、具体的には、訪問先セッション管理機能Ｖ−ＳＭＦエンティティを使用することによって、ホームセッション管理機能Ｈ−ＳＭＦエンティティによって送信された、加入サービスに基づくＬＢＯポリシーを含む第１メッセージを受信する、または、訪問先ポリシー制御機能Ｖ−ＰＣＦエンティティを使用することによって、ホームポリシー制御機能Ｈ−ＰＣＦエンティティによって送信された、加入サービスに基づくＬＢＯポリシーを含む第１メッセージを受信するよう構成される。本願の本実施形態において、Ｖ−ＣＰがローカルブレイクアウトポリシーを受信するプロセスは精緻化され、本願の本実施形態の実装および操作は、より容易になる。
【００２３】
可能な設計において、本願の本実施形態の第５態様の第２の実装において、Ｖ−ＣＰが、訪問先セッション管理機能Ｖ−ＳＭＦエンティティを使用することによって、ホームセッション管理機能Ｈ−ＳＭＦエンティティによって送信された第１メッセージを受信した後であって、Ｖ−ＣＰが、ＬＢＯポリシーを訪問先コアネットワークユーザプレーンＶ−ＵＰへ送信する前に、ネットワークデバイスはさらに、Ｖ−ＳＭＦを使用することによって訪問先ポリシー制御機能Ｖ−ＰＣＦエンティティへＬＢＯポリシーを送信するよう構成される第２送信ユニットと、Ｖ−ＰＣＦを使用することによって、ＬＢＯポリシーが有効かどうかを決定するよう構成される第１決定ユニットを備える。本願の本実施形態において、Ｖ−ＣＰがローカルブレイクアウトポリシーを認証するプロセスが追加され、本願の本実施形態の可能な実装が追加される。
【００２４】
可能な設計において、本願の本実施形態の第５態様の第３の実装において、Ｖ−ＣＰが、訪問先ポリシー制御機能Ｖ−ＰＣＦエンティティを使用することによって、ホームポリシー制御機能Ｈ−ＰＣＦエンティティによって送信された第１メッセージを受信した後であって、Ｖ−ＣＰが、ＬＢＯポリシーを訪問先コアネットワークユーザプレーンＶ−ＵＰへ送信する前に、ネットワークデバイスはさらに、Ｖ−ＰＣＦを使用することによって、ＬＢＯポリシーが有効かどうかを決定するよう構成される第２決定ユニットを含む。本願の本実施形態において、Ｖ−ＣＰがローカルブレイクアウトポリシーを認証するプロセスが追加され、本願の本実施形態の可能な実装が追加される。
【００２５】
可能な設計において、本願の本実施形態の第５態様の第４の実装において、第１送信ユニットは具体的には、Ｖ−ＳＭＦを使用することによって、ＬＢＯポリシーをＶ−ＵＰへ送信するよう構成される。本願の本実施形態において、Ｖ−ＣＰがＶ−ＳＭＦを使用することによってローカルブレイクアウトポリシーを送信するプロセスは精緻化され、本願の本実施形態の実装および操作がより容易になる。
【００２６】
本願の実施形態の第６態様は、ネットワークデバイスを提供し、当該ネットワークデバイスは、加入サービスに基づくローカルブレイクアウトＬＢＯポリシーを取得するよう構成される取得ユニットであって、加入サービスは、ローカルブレイクアウトが実行される必要がある、ユーザのサービスである、取得ユニットと、第１メッセージを訪問先コアネットワーク制御プレーンＶ−ＣＰへ送信するよう構成される送信ユニットであって、第１メッセージはＬＢＯポリシーを含む、送信ユニットとを備える。本願の本実施形態において、加入サービスのローカルブレイクアウトポリシーは、Ｈ−ＣＰを使用することによって取得され、加入サービスのローカルブレイクアウトポリシーはＶ−ＣＰへ送信され、それにより、ローミング位置の端末の加入サービスのオフロードを実装し、ローミング位置とホーム位置との間のネットワーク間トラフィック消費を低減し、ローミング位置の端末のローカルブレイクアウト機能を実装し、サービス品質を改善する。
【００２７】
可能な設計において、本願の本実施形態の第６態様の第１の実装において、送信ユニットは第１送信サブユニットを含み、第１送信サブユニットは、ホームセッション管理機能Ｈ−ＳＭＦエンティティを使用することによって、第１メッセージを訪問先セッション管理機能Ｖ−ＳＭＦエンティティへ送信するよう構成され、第１メッセージはＬＢＯポリシーを含む。本願の本実施形態において、Ｈ−ＣＰがローカルブレイクアウトポリシーを送信する具体的なプロセスが精緻化され、本願の本実施形態の実装および操作は、より容易になる。
【００２８】
可能な設計において、本願の本実施形態の第６態様の第２の実装において、送信ユニットは第２送信サブユニットを含み、第２送信サブユニットは、ホームポリシー制御機能Ｈ−ＰＣＦエンティティを使用することによって、第１メッセージを訪問先ポリシー制御機能Ｖ−ＰＣＦエンティティへ送信するよう構成され、第１メッセージはＬＢＯポリシーを含む。本願の本実施形態において、Ｈ−ＣＰがローカルブレイクアウトポリシーを送信する具体的なプロセスが精緻化され、本願の本実施形態の実装および操作は、より容易になる。
【００２９】
可能な設計において、本願の本実施形態の第６態様の第３の実装において、取得ユニットは具体的には、ホームセッション管理機能Ｈ−ＳＭＦエンティティを使用することによって、ＬＢＯポリシーを構成すること、ホームアプリケーションサーバＨ−ＡＳによって送信された、ＬＢＯポリシーを含む第２メッセージを受信すること、または、ＬＢＯポリシーをホームポリシー制御機能Ｈ−ＰＣＦエンティティから取得することを行うよう構成される。本願の本実施形態において、Ｈ−ＣＰがローカルブレイクアウトポリシーを取得する特定の方式は精緻化され、本願の本実施形態の実装および操作は、より容易になる。
【００３０】
可能な設計において、本願の本実施形態の第６態様の第４の実装において、第１メッセージは、ローミング事業者のグラント情報を含む。本願の本実施形態において、第１メッセージの構成は限定され、その結果、本願の本実施形態の段階は、より完全になる。
【００３１】
本願の実施形態の第７態様は、ネットワークデバイスを提供し、当該ネットワークデバイスは、加入サービスに基づいて、ローカルブレイクアウトＬＢＯポリシーを取得するよう構成される取得ユニットであって、加入サービスは、ローカルブレイクアウトが実行される必要がある、ユーザのサービスである、取得ユニットと、第１メッセージを訪問先ローカルユーザプレーンＶ−Ｌｏｃａｌ−ＵＰへ送信するよう構成される送信ユニットであって、第１メッセージはＬＢＯポリシーを含み、その結果、加入サービスのトラフィックは訪問先アプリケーションサーバＶ−ＡＳにオフロードされる、送信ユニットとを備える。本願の本実施形態において、加入サービスのローカルブレイクアウトポリシーは、Ｈ−ＣＰを使用することによって取得され、加入サービスのローカルブレイクアウトポリシーはＶ−Ｌｏｃａｌ−ＵＰへ送信され、それにより、ローミング位置の加入サービスのオフロードを実装し、ローミング位置とホーム位置との間のネットワーク間トラフィック消費を低減し、ローミング位置の端末のローカルブレイクアウト機能を実装し、サービス品質を改善する。
【００３２】
可能な設計において、本願の本実施形態の第７態様の第１の実装において、送信ユニットは具体的には、ホームセッション管理機能Ｈ−ＳＭＦエンティティを使用することによって、第１メッセージを訪問先ローカルユーザプレーンＶ−Ｌｏｃａｌ−ＵＰへ送信するよう構成される。本願の本実施形態において、Ｈ−ＣＰが第１メッセージを送信する具体的なプロセスが精緻化され、本願の本実施形態の実装および操作がより容易になる。
【００３３】
本願の実施形態の第８態様はネットワークデバイスを提供し、当該ネットワークデバイスは、ホームコアネットワーク制御プレーンＨ−ＣＰによって送信された、加入サービスに基づくローカルブレイクアウトＬＢＯポリシーを受信することであって、加入サービスは、ローカルブレイクアウトが実行される必要がある、ユーザのためのサービスである、ことを行うよう構成される受信ユニットと、ＬＢＯポリシーをインストールするよう構成されるインストールユニットと、Ｖ−Ｌｏｃａｌ−ＵＰが、訪問先コアネットワークユーザプレーンＶ−ＵＰによって送信されたサービスが加入サービスであると決定した場合、加入サービスのトラフィックを訪問先アプリケーションサーバＶ−ＡＳにオフロードするよう構成されるオフロードユニットとを備える。本願の本実施形態において、Ｈ−ＣＰによって送信された端末の加入サービスのローカルブレイクアウトポリシーは、Ｖ−Ｌｏｃａｌ−ＵＰを使用することによって受信され、加入サービスのローカルブレイクアウトポリシーはＶ−Ｌｏｃａｌ−ＵＰにインストールされ、それにより、ローミング位置の加入サービスのオフロードを実装し、ローミング位置とホーム位置との間のネットワーク間トラフィック消費を低減し、ローミング位置の端末のローカルブレイクアウト機能を実装し、サービス品質を改善する。
【００３４】
可能な設計において、本願の本実施形態の第８態様の第１の実装において、受信ユニットは具体的には、ホームセッション管理機能Ｈ−ＳＭＦエンティティによって送信されたローカルブレイクアウトＬＢＯポリシーを受信するよう構成される。本願の本実施形態において、Ｖ−Ｌｏｃａｌ−ＵＰが第１メッセージを受信する具体的なプロセスは精緻化され、本願の本実施形態の実装および操作がより容易になる。
【００３５】
本願の第９態様は、コンピュータ可読記憶媒体を提供する。コンピュータ可読記憶媒体は命令を格納し、命令がコンピュータ上で動作するとき、コンピュータは、上述の態様の各々における方法を実行することが可能になる。
【００３６】
本願の第１０態様は、命令を含むコンピュータプログラムプロダクトを提供し、コンピュータプログラムプロダクトがコンピュータ上で動作するとき、コンピュータは、上述の態様における方法を実行することが可能である。
【００３７】
上述の技術的解決法から、本願の実施形態は以下の特長を有することが分かる。
【００３８】
本願の実施形態において提供される技術的解決法において、訪問先コアネットワーク制御プレーンＶ−ＣＰは、ホームコアネットワーク制御プレーンＨ−ＣＰによって送信された第１メッセージを受信し、第１メッセージは、加入サービスに基づくローカルブレイクアウトＬＢＯポリシーを含み、加入サービスは、ローカルブレイクアウトが実行される必要がある、ユーザのサービスであり、Ｖ−ＣＰは、ＬＢＯポリシーを訪問先コアネットワークユーザプレーンＶ−ＵＰへ送信し、その結果、ＬＢＯポリシーはＶ−ＵＰにインストールされて、加入サービスのためのローカルブレイクアウト処理が実装される。ローミング加入者の加入サービスのトラフィックがホーム位置にループバックすることが防止され、ネットワーク間トラフィック消費は低減され、ローミング位置の端末のローカルブレイクアウト機能が実装され、サービス品質が改善される。
【図面の簡単な説明】
【００３９】
【図１Ａ】ローミングシナリオにおけるホームルーティングアクセスの概略図である。
【００４０】
【図１Ｂ】ローミングシナリオにおけるローミングローカルアクセスの概略図である。
【００４１】
【図２Ａ】本願が適用されるネットワークアーキテクチャの概略図である。
【００４２】
【図２Ｂ】本願が適用される別のネットワークアーキテクチャの概略図である。
【００４３】
【図３】本願の実施形態に係るローミングシナリオにおけるオフロード方法の実施形態の概略図である。
【００４４】
【図４】本願の実施形態に係るローミングシナリオにおけるオフロード方法の別の実施形態の概略図である。
【００４５】
【図５】本願の実施形態に係るローミングシナリオにおけるオフロード方法の別の実施形態の概略図である。
【００４６】
【図６】本願の実施形態に係るローミングシナリオにおけるオフロード方法の別の実施形態の概略図である。
【００４７】
【図７】本願の実施形態に係るネットワークデバイスの実施形態の概略図である。
【００４８】
【図８】本願の実施形態に係るネットワークデバイスの別の実施形態の概略図である。
【００４９】
【図９】本願の実施形態に係るネットワークデバイスの別の実施形態の概略図である。
【００５０】
【図１０】本願の実施形態に係るネットワークデバイスの別の実施形態の概略図である。
【００５１】
【図１１】本願の実施形態に係るネットワークデバイスの別の実施形態の概略図である。
【００５２】
【図１２】本願の実施形態に係るネットワークデバイスの別の実施形態の概略図である。
【００５３】
【図１３】本願の実施形態に係るネットワークデバイスの別の実施形態の概略図である。
【発明を実施するための形態】
【００５４】
本願の実施形態は、オフロード方法、および、ローミングシナリオにおける関連するデバイスを提供し、ローミング加入者の加入サービスのトラフィックがホーム位置にループバックすることを防止し、それにより、ネットワーク間トラフィック消費を低減し、ローミング位置の端末のローカルブレイクアウト機能を実装し、サービス品質を改善する。
【００５５】
当業者が本願における技術的解決法をよく理解できるように、以下では、本願の実施形態における添付図面を参照しながら、本願の実施形態における技術的解決法を説明する。
【００５６】
本願の明細書、請求項、および添付図面において、「第１」、「第２」、「第３」、および「第４」等（存在する場合には）の用語は、同様の対象物を区別することを意図しているのであって、必ずしも特定の順序または順番を示すわけではない。そのように使用されるデータは、適切な状況において交換可能であり、その結果、本明細書において説明される本発明の実施形態は、本明細書において例示または説明された順序とは異なる順序で実装できることを理解すべきである。加えて、「含む」、「有する」という用語、および、任意の他の変形は、非限定的な包含を含むことが意図されている。例えば、段階またはユニットのリストを含むプロセス、方法、システム、プロダクトまたはデバイスは、それらの明示的に列挙された段階またはユニットに必ずしも限定されず、明示的に列挙されない、または、そのようなプロセス、方法、プロダクトもしくはデバイスに固有の他の段階またはユニットを含み得る。
【００５７】
本願の実施形態は、図２Ａおよび図２Ｂにおいて示されるネットワークアーキテクチャに適用され得る。図２Ａに示されるネットワークアーキテクチャにおいて、サービスの開放および提携が事業者の間でサポートされ、ホーム事業者は、ローミング事業者との対応するサービス開放提携契約に加入する。ホームコアネットワーク制御プレーン（ｈｏｍｅ  ｃｏｎｔｒｏｌ  ｐｌａｎｅ、Ｈ−ＣＰ）は、加入サービスのポリシー（およびグラント情報）を、訪問先コアネットワーク制御プレーン（ｖｉｓｉｔｅｄ  ｃｏｎｔｒｏｌ  ｐｌａｎｅ、Ｖ−ＣＰ）にプッシュし、加入サービスは、訪問先ＣＤＮサービスまたは別のサービスであり得る。本願において、訪問先ＣＤＮサービスは、説明のための例として使用される。ローカルポリシー制御機能（ｐｏｌｉｃｙ  ｃｏｎｔｒｏｌ  ｆｕｎｃｔｉｏｎ、ＰＣＦ）エンティティを使用することによって認証を完了した後に、Ｖ−ＣＰは、受信した訪問先ＣＤＮポリシーを訪問先コアネットワークユーザプレーン（ｖｉｓｉｔｅｄ  ｕｓｅｒ  ｐｌａｎｅ、Ｖ−ＵＰ）へ送信する。その後、端末がサービスにアクセスするとき、トラフィックは、Ｖ−ＵＰによって、ローカルブレイクアウト（ｌｏｃａｌ  ｂｒｅａｋｏｕｔ、ＬＢＯ）ポリシーを使用することによって、訪問先アプリケーションサーバ（ｖｉｓｉｔｅｄ  ａｐｐｌｉｃａｔｉｏｎ  ｓｅｒｖｅｒ、Ｖ−ＡＳ）にオフロードされる。図２Ｂに示されるネットワークアーキテクチャにおいて、ホーム事業者は、ローミング事業者に加入し、ローミング位置で訪問先ローカルユーザプレーン（ｖｉｓｉｔｅｄ  ｌｏｃａｌ  ｕｓｅｒ  ｐｌａｎｅ、Ｖ−Ｌｏｃａｌ−ＵＰ）をデプロイする。ホーム位置に属するすべてのユーザサービスフローは、まずＶ−Ｌｏｃａｌ−ＵＰにオフロードされ、ホームコアネットワーク制御プレーンＨ−ＣＰは、ローミング位置でデプロイされたＶ−Ｌｏｃａｌ−ＵＰを直接管理し得て、Ｈ−ＣＰは、訪問先ＣＤＮポリシー（およびグラント情報）をＶ−Ｌｏｃａｌ−ＵＰへ転送する。その後、端末がサービスにアクセスするとき、トラフィックは、Ｖ−Ｌｏｃａｌ−ＵＰによって、ＬＢＯポリシーを使用することによって、訪問先アプリケーションサーバ（ｖｉｓｉｔｅｄ  ａｐｐｌｉｃａｔｉｏｎ  ｓｅｒｖｅｒ、Ｖ−ＡＳ）にオフロードされる。本願において、訪問先ＣＤＮローカルブレイクアウトポリシーは代替的に、ＬＢＯポリシーまたはローカルブレイクアウトポリシーと称され得る。
【００５８】
理解し易くするために、本願の本実施形態、および、以下の実施形態において、加入サービスが訪問先ＣＤＮサービスである例が説明のために使用される。以下では、本願の本実施形態における特定の手順を説明する。図３を参照すると、図２Ａに示されるネットワークアーキテクチャに本実施形態が適用されるとき、本願の本実施形態におけるローミングシナリオにおけるオフロード方法の実施形態は、以下の段階を含む。
【００５９】
３０１．ホームコアネットワーク制御プレーンＨ−ＣＰは、コンテンツ配信ネットワークＣＤＮサービスに基づいて、ローカルブレイクアウトＬＢＯポリシーを取得する。
【００６０】
ホームコアネットワーク制御プレーンＨ−ＣＰは、訪問先コンテンツ配信ネットワークＣＤＮサービスに基づいて、ローカルブレイクアウトＬＢＯポリシーを取得する。ＬＢＯポリシーは、端末が訪問先ＣＤＮサービスにアクセスするときに生成されるサービスフローを訪問先ローカルアプリケーションサーバＶ−ＡＳにオフロードするために使用される。
【００６１】
Ｈ−ＣＰがＬＢＯポリシーを取得する複数の方式があることに注意すべきである。例えば、Ｈ−ＣＰは、ホームアプリケーションサーバＨ−ＡＳによって送信されたメッセージを受信し得て、メッセージは、訪問先ＣＤＮローカルブレイクアウトポリシーを保持する。Ｈ−ＣＰはさらに、ホームセッション管理機能Ｈ−ＳＭＦエンティティを使用することによって、訪問先ＣＤＮローカルブレイクアウトポリシーを構成し得る。または、Ｈ−ＣＰはさらに、予め設定された訪問先ＣＤＮローカルブレイクアウトポリシーをホームポリシー制御機能Ｈ−ＰＣＦエンティティから取得し得る。これは、本明細書において具体的に限定はされない。
【００６２】
Ｈ−ＣＰが訪問先ＣＤＮローカルブレイクアウトポリシー（すなわち、ＬＢＯポリシー）を取得する前に、ホーム事業者は、ローミング事業者に加入済みであり、ユーザ端末は、ホーム事業者のローミングローカルブレイクアウトサービスパッケージに加入していることを理解されたい。
【００６３】
３０２．Ｈ−ＣＰは、第１メッセージを訪問先コアネットワーク制御プレーンＶ−ＣＰへ送信し、第１メッセージはＬＢＯポリシーを含む。
【００６４】
Ｈ−ＣＰは、ユーザ端末のＬＢＯポリシーを取得した後に、第１メッセージを訪問先コアネットワーク制御プレーンＶ−ＣＰへ送信する。ここで、第１メッセージは、ＬＢＯポリシーを含む。
【００６５】
ネットワークインタフェースが、Ｈ−ＣＰとＶ−ＣＰとの間で開放され、ローミング加入者のＬＢＯポリシーの転送をサポートし、これにより、ＣＤＮサービスのためのローカルブレイクアウト処理が実装されることに注意すべきである。ＬＢＯポリシーは、端末に、訪問先コアネットワークユーザプレーンＶ−ＵＰに対してローカルブレイクアウトを直接実行させることができ、その結果、ユーザ端末がＣＤＮサービスにアクセスしてデータフローをループバックするときに生成されたデータフローをホームコアネットワークユーザプレーンＨ−ＵＰに返す必要性を生じさせることなく、訪問先ＣＤＮサーバにアクセスできる。
【００６６】
第１メッセージに対して認証を実行する必要があるとき、第１メッセージはさらに、Ｈ−ＣＰとＶ−ＣＰとの間の認証を実行するべく、ホーム事業者のネットワーク識別情報およびグラント情報を保持し得ることを理解されたい。
【００６７】
３０３．Ｖ−ＣＰは、ＬＢＯポリシーを訪問先コアネットワークユーザプレーンＶ−ＵＰへ送信する。
【００６８】
訪問先コアネットワーク制御プレーンＶ−ＣＰは、受信したＬＢＯポリシーを訪問先コアネットワークユーザプレーンＶ−ＵＰへ配信し、その結果、ＬＢＯポリシーがＶ−ＵＰにインストールされ、ＣＤＮサービスのためのローカルブレイクアウト処理が実装される。
【００６９】
Ｖ−ＣＰはさらに、訪問先セッション管理機能（ｖｉｓｉｔｅｄ  ｓｅｓｓｉｏｎ  ｍａｎａｇｅｍｅｎｔ  ｆｕｎｃｔｉｏｎ、Ｖ−ＳＭＦ）エンティティを使用することによって、受信されたＬＢＯポリシーをＶ−ＵＰへ転送し、その結果、ＬＢＯポリシーがＶ−ＵＰにインストールされることに注意すべきである。加えて、ＬＢＯポリシーがＶ−ＵＰにインストールされることに成功した後に、プロトコルデータユニットセッション修正応答（ＰＤＵ  Ｓｅｓｓｉｏｎ  ｍｏｄｉｆｉｃａｔｉｏｎ  Ｒｅｓｐｏｎｓｅ）メッセージがホームセッション管理機能（ｈｏｍｅ  ｓｅｓｓｉｏｎ  ｍａｎａｇｅｍｅｎｔ  ｆｕｎｃｔｉｏｎ、Ｈ−ＳＭＦ）エンティティへ送信される。
【００７０】
本願の本実施形態において、端末は、訪問先ＣＤＮサーバにアクセスするとき、Ｈ−ＣＰによってプッシュされる訪問先ＣＤＮローカルブレイクアウトポリシーに基づいて、Ｖ−ＵＰに対してローカルブレイクアウトを直接実行し得る。このように、端末によって同様に生成されたデータフローをＨ−ＵＰへ返し、次に、データフローをループバックバックする必要性を生じさせることなく、訪問先ＣＤＮサーバにアクセスでき、それにより、ローミング位置とホーム位置との間のネットワーク間トラフィック消費を低減し、ローミング位置の端末のローカルブレイクアウト機能を実装し、サービス品質を改善する。
【００７１】
理解し易くするために、本願の本実施形態における特定の手順を下で説明する。図４を参照すると、本願の本実施形態におけるローミングシナリオにおけるオフロード方法の別の実施形態は、以下の段階を含む。
【００７２】
４０１．端末が、通常のアタッチおよびアクティブ化手順を通じて、事業者ネットワークにおいてオンラインになる。
【００７３】
端末は、通常のアタッチおよびアクティブ化手順を通じて、事業者ネットワークにおいてオンラインになり、データサービスにアクセスする。
【００７４】
端末によってアクセスされるＯＴＴサービスプロバイダは、事業者の能力公開機能によって提供されるサブスクリプションシステムを使用することによって、ホーム事業者のローミングローカルブレイクアウトサービスパッケージに加入することに成功し、ホーム事業者の能力公開システムにおけるセキュリティグラントモジュールは、対応する初期鍵、および、開放できるローミングローカルブレイクアウトサービスパッケージ識別子をＯＴＴに割り当てることに注意すべきである。
【００７５】
４０２．端末は、ホームアプリケーションサーバにアクセスし、ユーザログイン手順を完了する。
【００７６】
事業者のローミングローカルブレイクアウトサービスパッケージに加入しているＯＴＴが属するアプリを端末が使用するとき、アプリは、暗号化サービスフローを使用することによって、ホームアプリケーションサーバＨ−ＡＳ上でユーザログイン手順を開始する。
【００７７】
ホームアプリケーションサーバが端末のためにユーザログイン認証手順を完了した後に、端末は、アプリを使用することによって、端末のローミングステータスをホームアプリケーションサーバに報告することに注意すべきである。ホームアプリケーションサーバは、端末が加入しているローミングローカルブレイクアウトサービスパッケージを使用する許可に端末が従っていて、ＣＤＮサーバがローミング位置に存在すると決定する。この場合、ホームアプリケーションサーバはまず、事業者のセキュリティグラントモジュールによって発行された初期鍵に基づいて動的鍵を生成し、動的鍵に基づいて、訪問先ＣＤＮローカルブレイクアウトポリシー（ローカルブレイクアウトポリシーのフロー記述情報は、訪問先ＣＤＮサーバが目標サーバアドレスとして機能することを示す）をカプセル化し、ホームコアネットワーク制御プレーンＨ−ＣＰのネットワーク能力公開機能（ｎｅｔｗｏｒｋ  ｃａｐａｂｉｌｉｔｙ  ｅｘｐｏｓｕｒｅ  ｆｕｎｃｔｉｏｎ、ＮＥＦ）エンティティへ、カプセル化された訪問先ＣＤＮローカルブレイクアウトポリシーを送信し、それにより、訪問先ＣＤＮローカルブレイクアウトＬＢＯポリシーのインストールが実装される。訪問先ＣＤＮローカルブレイクアウトポリシーはＬＢＯポリシーと称される。
【００７８】
４０３．ホームコアネットワーク制御プレーンＨ−ＣＰのＮＥＦは、訪問先ＣＤＮローカルブレイクアウトポリシーをホームセッション管理機能Ｈ−ＳＭＦエンティティへ送信する。
【００７９】
ホームコアネットワーク制御プレーンＨ−ＣＰがホームアプリケーションサーバから訪問先ＣＤＮローカルブレイクアウトポリシーを取得した後に、Ｈ−ＣＰのＮＥＦは、訪問先ＣＤＮローカルブレイクアウトポリシーをホームセッション管理機能Ｈ−ＳＭＦエンティティへ送信する。
【００８０】
本願の本実施形態において、第３世代パートナーシッププロジェクト（３ｒｄ  ｇｅｎｅｒａｔｉｏｎ  ｐａｒｔｎｅｒｓｈｉｐ  ｐｒｏｊｅｃｔ、３ＧＰＰ）の標準プロトコル２３５０２の４．３．２．２．２．におけるホームルーティングローミングの章の説明が参照され得て、Ｈ−ＳＭＦからＶ−ＳＭＦへの第１メッセージ（すなわち、ＰＤＵセッション変更要求メッセージ）が追加されることに注意すべきである。メッセージは、Ｈ−ＳＭＦによってＶ−ＳＭＦにプッシュされた訪問先ＣＤＮローカルブレイクアウトポリシーについての情報を保持し得る。
【００８１】
４０４．Ｈ−ＳＭＦは、認証のために訪問先ＣＤＮローカルブレイクアウトポリシーをＨ−ＰＣＦへ送信する。
【００８２】
第１メッセージにおいて保持される訪問先ＣＤＮローカルブレイクアウトポリシーについての情報を受信した後に、Ｈ−ＳＭＦは、認証のために訪問先ＣＤＮローカルブレイクアウトポリシーをＨ−ＰＣＦへ送信する。
【００８３】
第１メッセージはさらに、ホーム事業者のグラント情報を保持し得て、伝送プロセスにおける情報セキュリティを保証することに注意すべきである。
【００８４】
４０５．Ｈ−ＰＣＦは、訪問先ＣＤＮローカルブレイクアウトポリシーに対して認証を実行する。
【００８５】
Ｈ−ＰＣＦは、訪問先ＣＤＮローカルブレイクアウトポリシー（およびホーム事業者のグラント情報）が有効かどうかを決定し、認証結果をＨ−ＳＭＦへ送信する。具体的には、訪問先ＣＤＮローカルブレイクアウトポリシー（およびホーム事業者のグラント情報）が有効である場合、Ｈ−ＰＣＦは段階４０６を実行する。訪問先ＣＤＮローカルブレイクアウトポリシー（およびホーム事業者のグラント情報）が無効である場合、Ｈ−ＰＣＦは、認証失敗応答メッセージをＨ−ＳＭＦにフィードバックする。
【００８６】
端末にサービスを提供するＯＴＴサービスプロバイダが、ホーム事業者の訪問先ローカルブレイクアウトサービスパッケージに加入済みであり、ホーム事業者は、ローミング事業者とのサービス開放提携契約に署名済みであることに注意すべきである。
【００８７】
４０６．Ｈ−ＰＣＦは、認証成功応答メッセージをＨ−ＳＭＦへ送信する。
【００８８】
Ｈ−ＰＣＦは、認証成功応答メッセージをＨ−ＳＭＦへ送信し、認証成功応答メッセージは、訪問先ＣＤＮローカルブレイクアウトポリシーを保持する。認証成功応答メッセージはまた、ホーム事業者のグラント情報を保持することを理解されたい。
【００８９】
４０７．Ｈ−ＳＭＦは、訪問先ＣＤＮローカルブレイクアウトポリシーをＶ−ＳＭＦへ送信する。
【００９０】
Ｈ−ＳＭＦは、訪問先ＣＤＮローカルブレイクアウトポリシーをＶ−ＳＭＦへ送信する。ネットワークインタフェースがＨ−ＳＭＦとＶ−ＳＭＦとの間で開放され、ローミング加入者の訪問先ＣＤＮローカルブレイクアウトポリシーの転送をサポートし、それにより、ローミング位置で訪問先ＣＤＮサービスのためのローカルブレイクアウト処理が実装される。
【００９１】
４０８．Ｖ−ＳＭＦは、受信した訪問先ＣＤＮローカルブレイクアウトポリシーをＶ−ＰＣＦへ転送する。
【００９２】
Ｖ−ＳＭＦは、受信した訪問先ＣＤＮローカルブレイクアウトポリシーをＶ−ＰＣＦへ転送し、Ｖ−ＰＣＦを使用することによって、訪問先ＣＤＮローカルブレイクアウトポリシーに対して認証を実行する。Ｖ−ＳＭＦはさらに、ホーム事業者のグラント情報を受信するが、Ｖ−ＳＭＦは同時に、ホーム事業者のグラント情報をＶ−ＰＣＦに転送することを理解されたい。
【００９３】
４０９．Ｖ−ＰＣＦは、訪問先ＣＤＮローカルブレイクアウトポリシーに対して認証を実行する。
【００９４】
Ｖ−ＰＣＦは、訪問先ＣＤＮローカルブレイクアウトポリシーについての情報を受信した後に、訪問先ＣＤＮローカルブレイクアウトポリシーが有効かどうかを決定する。訪問先ＣＤＮローカルブレイクアウトポリシーが有効である場合、段階４１０が実行される。または、訪問先ＣＤＮローカルブレイクアウトポリシーが無効である場合、Ｖ−ＰＣＦは、認証失敗応答メッセージをＶ−ＳＭＦにフィードバックする。
【００９５】
Ｖ−ＰＣＦは、ホーム事業者のグラント情報をさらに受信するとき、ホーム事業者のグラント情報に対して認証を同時に実行する必要があることに注意すべきである。ホーム事業者は、ローミング事業者とのサービス開放提携契約に署名済みである。
【００９６】
４１０．Ｖ−ＰＣＦは、認証成功応答メッセージをＶ−ＳＭＦに送信する。
【００９７】
訪問先ＣＤＮローカルブレイクアウトポリシーが有効であるとＶ−ＰＣＦが決定したとき、Ｖ−ＰＣＦは、認証成功応答メッセージをＶ−ＳＭＦへ送信し、ホーム事業者は、ローミング事業者とのサービス開放提携契約に署名済みである。
【００９８】
４１１．Ｖ−ＳＭＦは、インストールのために、訪問先ＣＤＮローカルブレイクアウトポリシーをＶ−ＵＰへ配信する。
【００９９】
Ｖ−ＳＭＦが、Ｖ−ＰＣＦによって送信された認証成功応答メッセージを受信したとき、Ｖ−ＳＭＦは、インストールのために、訪問先ＣＤＮローカルブレイクアウトポリシーをＶ−ＵＰへ配信し、Ｖ−ＵＰが、訪問先ＣＤＮローカルブレイクアウトポリシーのインストールに成功した後に、Ｖ−ＳＭＦは、訪問先ＣＤＮローカルブレイクアウトポリシーのインストール応答メッセージ（ＰＤＵセッション修正応答）をＨ−ＳＭＦに返す。
【０１００】
４１２．Ｈ−ＳＭＦは、Ｈ−ＮＥＦを使用することによって、訪問先ＣＤＮローカルブレイクアウトポリシーのインストール応答メッセージをホームアプリケーションサーバＨ−ＡＳへ送信する。
【０１０１】
Ｈ−ＳＭＦはまず、訪問先ＣＤＮローカルブレイクアウトポリシーのインストール応答メッセージをホームネットワーク能力公開機能Ｈ−ＮＥＦエンティティへ送信し、ＮＥＦを使用することによって、訪問先ＣＤＮローカルブレイクアウトポリシーのインストール応答メッセージをホームアプリケーションサーバＨ−ＡＳへ送信する。
【０１０２】
４１３．ホームアプリケーションサーバＨ−ＡＳは、訪問先ＣＤＮローカルブレイクアウトポリシーのインストールに成功したことを端末に通知し、端末がローミング位置にデプロイされた訪問先アプリケーションサーバＶ−ＡＳへのアクセスを開始してよいことを端末に通知する。
【０１０３】
ホームアプリケーションサーバＨ−ＡＳは、訪問先ＣＤＮローカルブレイクアウトポリシーのインストールに成功したことを端末に通知し、端末がローミング位置にデプロイされた訪問先アプリケーションサーバＶ−ＡＳへのアクセスを開始してよいことを端末に通知する。
【０１０４】
４１４．端末は訪問先アプリケーションサーバＶ−ＡＳへのアクセスを開始する。
【０１０５】
Ｖ−ＵＰが訪問先ＣＤＮローカルブレイクアウトポリシーのインストールに成功したとき、端末はＶ−ＵＰへのアクセスを開始する。Ｖ−ＵＰが、端末によってアクセスされたサーバアドレスが、ローカルブレイクアウトポリシーのフロー記述情報において定義された目標サーバアドレスと同一であると決定した場合、Ｖ−ＵＰは、訪問先ＣＤＮローカルブレイクアウトポリシーを実行し、端末のサービスフローを訪問先アプリケーションサーバＶ−ＡＳに分配する。
【０１０６】
本願の本実施形態において、端末は、訪問先ＣＤＮサーバのアクセスするとき、Ｈ−ＣＰによってプッシュされる訪問先ＣＤＮローカルブレイクアウトポリシーに基づいて、ローミング位置のＶ−ＵＰに対してローカルブレイクアウトを直接実行し得て、このようにして、端末によって同様に生成されたデータフローをＨ−ＵＰに返してデータフローをループバックする必要性を生じさせることなく、訪問先ＣＤＮサーバはさらにアクセスされ、それにより、ローミング位置とホーム位置との間のネットワーク間トラフィック消費を低減し、ローミング位置で端末のローカルブレイクアウト機能を実装し、サービス品質を改善する。
【０１０７】
図５を参照すると、ホームコアネットワーク制御プレーンが訪問先ＣＤＮローカルブレイクアウトポリシーを訪問先コアネットワーク制御プレーンにプッシュする別の方式が示される。本願の本実施形態におけるローミングシナリオにおけるオフロード方法の別の実施形態は、以下の段階を含む。
【０１０８】
５０１．端末が、通常のアタッチおよびアクティブ化手順を通じて、事業者ネットワークにおいてオンラインになる。
【０１０９】
端末は、通常のアタッチおよびアクティブ化手順を通じて、事業者ネットワークにおいてオンラインになり、データサービスにアクセスする。
【０１１０】
端末によってアクセスされたＯＴＴサービスプロバイダは、事業者の能力公開機能によって提供されるサブスクリプションシステムを使用することによって、ホーム事業者のローミングローカルブレイクアウトサービスパッケージに加入することに成功し、ホーム事業者の能力公開システムにおけるセキュリティグラントモジュールは、対応する初期鍵、および、開放できるローミングローカルブレイクアウトサービスパッケージ識別子をＯＴＴに割り当てることに注意すべきである。
【０１１１】
５０２．端末は、ホームアプリケーションサーバにアクセスし、ユーザログイン手順を完了する。
【０１１２】
事業者のローミングローカルブレイクアウトサービスパッケージに加入しているＯＴＴが属するアプリを端末が使用するとき、アプリは、暗号化サービスフローを使用することによって、ホームアプリケーションサーバＨ−ＡＳ上でユーザログイン手順を開始する。
【０１１３】
ホームアプリケーションサーバが端末のためにユーザログイン認証手順を完了した後に、端末は、アプリを使用することによって、端末のローミングステータスをホームアプリケーションサーバに報告することに注意すべきである。ホームアプリケーションサーバは、端末が加入しているローミングローカルブレイクアウトサービスパッケージを使用する許可に端末が従っていて、ＣＤＮサーバがローミング位置に存在すると決定する。この場合、ホームアプリケーションサーバはまず、事業者のセキュリティグラントモジュールによって発行された初期鍵に基づいて動的鍵を生成し、動的鍵に基づいて、訪問先ＣＤＮローカルブレイクアウトポリシー（ローカルブレイクアウトポリシーのフロー記述情報は、訪問先ＣＤＮサーバが目標サーバアドレスとして機能することを示す）をカプセル化し、ホームコアネットワーク制御プレーンＨ−ＣＰのＮＥＦエンティティへ、カプセル化された訪問先ＣＤＮローカルブレイクアウトポリシーを送信し、それにより、訪問先ＣＤＮローカルブレイクアウトＬＢＯポリシーのインストールが実装される。訪問先ＣＤＮローカルブレイクアウトポリシーはＬＢＯポリシーと称され得る。
【０１１４】
５０３．ホームコアネットワーク制御プレーンＨ−ＣＰのＮＥＦは、訪問先ＣＤＮローカルブレイクアウトポリシーをホームポリシー制御機能Ｈ−ＰＣＦエンティティへ送信する。
【０１１５】
ホームコアネットワーク制御プレーンＨ−ＣＰが訪問先ＣＤＮローカルブレイクアウトポリシーをホームアプリケーションサーバから取得した後に、Ｈ−ＣＰのＮＥＦは、訪問先ＣＤＮローカルブレイクアウトＬＢＯポリシーをホームポリシー制御機能Ｈ−ＰＣＦエンティティへ送信する。
【０１１６】
本願の本実施形態において、Ｈ−ＣＰが訪問先ＣＤＮローカルブレイクアウトポリシーを取得する複数の方式があることに注意すべきである。訪問先ＣＤＮローカルブレイクアウトポリシーを保持するメッセージをホームアプリケーションサーバＨ−ＡＳから受信する方式に加えて、訪問先ＣＤＮローカルブレイクアウトポリシーはさらに、ホームセッション管理機能Ｈ−ＳＭＦエンティティを使用することによって構成され得る、または、訪問先ＣＤＮローカルブレイクアウトポリシーは、ホームポリシー制御機能Ｈ−ＰＣＦエンティティから取得される。これは、本明細書において具体的に限定はされない。
【０１１７】
５０４．Ｈ−ＰＣＦは、訪問先ＣＤＮローカルブレイクアウトポリシーをＶ−ＰＣＦへ送信する。
【０１１８】
訪問先ＣＤＮローカルブレイクアウトポリシーについての情報を受信した後に、Ｈ−ＰＣＦは、訪問先ＣＤＮローカルブレイクアウトポリシーをＶ−ＰＣＦへ送信する。
【０１１９】
訪問先ＣＤＮローカルブレイクアウトポリシーを保持するメッセージは、ホーム事業者のグラント情報をさらに保持し得て、これにより、伝送プロセスにおける情報セキュリティを保証することに注意すべきである。
【０１２０】
５０５．Ｖ−ＰＣＦは、訪問先ＣＤＮローカルブレイクアウトポリシーに対して認証を実行する。
【０１２１】
Ｖ−ＰＣＦは、訪問先ＣＤＮローカルブレイクアウトポリシー（およびホーム事業者のグラント情報）が有効かどうかを決定し、認証結果をＶ−ＳＭＦへ送信する。具体的には、訪問先ＣＤＮローカルブレイクアウトポリシー（およびホーム事業者のグラント情報）が有効である場合、Ｖ−ＰＣＦは段階５０６を実行する。訪問先ＣＤＮローカルブレイクアウトポリシー（およびホーム事業者のグラント情報）が無効である場合、Ｖ−ＰＣＦは、認証失敗応答メッセージをＶ−ＳＭＦにフィードバックする。
【０１２２】
ＯＴＴサービスプロバイダが、ホーム事業者の訪問先ローカルブレイクアウトサービスパッケージに加入済みであり、ホーム事業者は、ローミング事業者とのサービス開放提携契約に署名済みであることに注意すべきである。
【０１２３】
５０６．Ｖ−ＰＣＦは、ポリシー更新要求メッセージをＶ−ＳＭＦへ送信する。
【０１２４】
Ｖ−ＰＣＦは、ポリシー更新要求メッセージをＶ−ＳＭＦへ送信する。ポリシー更新要求メッセージは、訪問先ＣＤＮローカルブレイクアウトポリシーを保持する。ポリシー更新要求メッセージはまた、ホーム事業者のグラント情報を保持し得ることを理解されたい。
【０１２５】
５０７．Ｖ−ＳＭＦは、インストールのために、訪問先ＣＤＮローカルブレイクアウトポリシーをＶ−ＵＰへ配信する。
【０１２６】
Ｖ−ＳＭＦが、Ｖ−ＰＣＦによって送信されたポリシー更新要求メッセージを受信した後に、Ｖ−ＳＭＦは、インストールのために、訪問先ＣＤＮローカルブレイクアウトポリシーをＶ−ＵＰへ配信する。
【０１２７】
５０８．Ｖ−ＵＰは、インストール成功応答メッセージをＶ−ＳＭＦへ送信する。
【０１２８】
Ｖ−ＵＰが訪問先ＣＤＮローカルブレイクアウトポリシーのインストールに成功した後に、Ｖ−ＵＰは、インストール成功応答メッセージをＶ−ＳＭＦへ送信し、インストール成功応答メッセージは、訪問先ＣＤＮローカルブレイクアウトポリシーがＶ−ＵＰでインストールされることに成功したことを示すために使用される。
【０１２９】
５０９．Ｖ−ＳＭＦは、訪問先ＣＤＮローカルブレイクアウトポリシーのインストール成功応答メッセージをＶ−ＰＣＦへ送信する。
【０１３０】
Ｖ−ＳＭＦが訪問先ＣＤＮローカルブレイクアウトポリシーのインストール成功応答メッセージをＶ−ＵＰから受信した後に、Ｖ−ＳＭＦは、訪問先ＣＤＮローカルブレイクアウトポリシーのインストール成功応答メッセージをＶ−ＰＣＦへ転送する。
【０１３１】
５１０．Ｖ−ＰＣＦは、訪問先ＣＤＮローカルブレイクアウトポリシーのインストール成功応答メッセージをＨ−ＰＣＦへ送信する。
【０１３２】
Ｖ−ＰＣＦが訪問先ＣＤＮローカルブレイクアウトポリシーのインストール成功応答メッセージをＶ−ＳＭＦから受信した後に、Ｖ−ＰＣＦは、訪問先ＣＤＮローカルブレイクアウトポリシーのインストール成功応答メッセージをＨ−ＰＣＦへ転送する。
【０１３３】
５１１．Ｈ−ＰＣＦは、Ｈ−ＮＥＦを使用することによって、訪問先ＣＤＮローカルブレイクアウトポリシーのインストール応答メッセージをホームアプリケーションサーバＨ−ＡＳへ送信する。
【０１３４】
Ｈ−ＰＣＦが訪問先ＣＤＮローカルブレイクアウトポリシーのインストール成功応答メッセージをＶ−ＰＣＦから受信した後に、Ｈ−ＰＣＦはまず、訪問先ＣＤＮローカルブレイクアウトポリシーのインストール応答メッセージをホームネットワーク能力公開機能Ｈ−ＮＥＦエンティティへ送信し、次に、ＮＥＦを使用することによって、訪問先ＣＤＮローカルブレイクアウトポリシーのインストール応答メッセージをホームアプリケーションサーバＨ−ＡＳへ送信する。
【０１３５】
５１２．ホームアプリケーションサーバＨ−ＡＳは、訪問先ＣＤＮローカルブレイクアウトポリシーのインストールに成功したことを端末に通知し、端末がローミング位置にデプロイされた訪問先アプリケーションサーバＶ−ＡＳへのアクセスを開始してよいことを端末に通知する。
【０１３６】
ホームアプリケーションサーバＨ−ＡＳは、訪問先ＣＤＮローカルブレイクアウトポリシーのインストールに成功したことを端末に通知し、端末がローミング位置にデプロイされた訪問先アプリケーションサーバＶ−ＡＳへのアクセスを開始してよいことを端末に通知する。
【０１３７】
５１３．端末は訪問先アプリケーションサーバＶ−ＡＳへのアクセスを開始する。
【０１３８】
Ｖ−ＵＰが訪問先ＣＤＮローカルブレイクアウトポリシーのインストールに成功したとき、端末はＶ−ＵＰへのアクセスを開始する。Ｖ−ＵＰが、端末によってアクセスされたサーバアドレスが、ローカルブレイクアウトポリシーのフロー記述情報において定義された目標サーバアドレスと同一であると決定した場合、Ｖ−ＵＰは、訪問先ＣＤＮローカルブレイクアウトポリシーを実行し、端末のサービスフローを訪問先アプリケーションサーバＶ−ＡＳに分配する。
【０１３９】
本願の本実施形態において、端末は、訪問先ＣＤＮサーバのアクセスするとき、Ｈ−ＣＰによってプッシュされる訪問先ＣＤＮローカルブレイクアウトポリシーに基づいて、ローミング位置のＶ−ＵＰに対してローカルブレイクアウトを直接実行し得て、このようにして、端末によって同様に生成されたデータフローをＨ−ＵＰに返してデータフローをループバックする必要性を生じさせることなく、訪問先ＣＤＮサーバはさらにアクセスされ、それにより、ローミング位置とホーム位置との間のネットワーク間トラフィック消費を低減し、ローミング位置で端末のローカルブレイクアウト機能を実装し、サービス品質を改善する。
【０１４０】
図６を参照すると、図２Ｂに示されるネットワークアーキテクチャに適用されるとき、本願の本実施形態におけるローミングシナリオにおけるオフロード方法の別の実施形態は、以下の段階を含む。
【０１４１】
６０１．端末が、通常のアタッチおよびアクティブ化手順を通じて、事業者ネットワークにおいてオンラインになる。
【０１４２】
端末は、通常のアタッチおよびアクティブ化手順を通じて、事業者ネットワークにおいてオンラインになり、データサービスにアクセスする。
【０１４３】
６０２．端末は、ホームアプリケーションサーバにアクセスし、ユーザログイン手順を完了する。
【０１４４】
事業者のローミングローカルブレイクアウトサービスパッケージに加入しているＯＴＴが属するアプリを端末が使用するとき、アプリは、暗号化サービスフローを使用することによって、ホームアプリケーションサーバＨ−ＡＳ上でユーザログイン手順を開始する。
【０１４５】
段階６０１および段階６０２は段階３０１および段階３０２と同様である。ここでは詳細を再度説明しない。
【０１４６】
６０３．ホームコアネットワーク制御プレーンＨ−ＣＰのＮＥＦは、訪問先ＣＤＮローカルブレイクアウトポリシーをホームポリシー制御機能Ｈ−ＰＣＦエンティティへ送信する。
【０１４７】
ホームコアネットワーク制御プレーンＨ−ＣＰが訪問先ＣＤＮローカルブレイクアウトポリシーをホームアプリケーションサーバから取得した後に、Ｈ−ＣＰのＮＥＦは、訪問先ＣＤＮローカルブレイクアウトポリシーをホームポリシー制御機能Ｈ−ＰＣＦエンティティへ送信する。
【０１４８】
６０４．Ｈ−ＰＣＦは、訪問先ＣＤＮローカルブレイクアウトポリシーに対して認証を実行する。
【０１４９】
Ｈ−ＰＣＦは、訪問先ＣＤＮローカルブレイクアウトポリシー（およびホーム事業者のグラント情報）が有効かどうかを決定し、認証結果をホームセッション管理機能Ｈ−ＳＭＦエンティティへ送信する。具体的には、訪問先ＣＤＮローカルブレイクアウトポリシー（およびホーム事業者のグラント情報）が有効である場合、Ｈ−ＰＣＦは段階６０５を実行する。訪問先ＣＤＮローカルブレイクアウトポリシー（およびホーム事業者のグラント情報）が無効である場合、Ｈ−ＰＣＦは、認証失敗応答メッセージをホームアプリケーションサーバＨ−ＡＳにフィードバックする。
【０１５０】
端末にサービスを提供するＯＴＴサービスプロバイダが、ホーム事業者の訪問先ローカルブレイクアウトサービスパッケージに加入済みであり、ホーム事業者は、ローミング事業者とのサービス開放提携契約に署名済みであることに注意すべきである。
【０１５１】
６０５．Ｈ−ＰＣＦは、訪問先ＣＤＮローカルブレイクアウトポリシーをＨ−ＳＭＦへ送信する。
【０１５２】
Ｈ−ＰＣＦは、訪問先ＣＤＮローカルブレイクアウトポリシーが有効であると決定した後に、訪問先ＣＤＮローカルブレイクアウトポリシーをＨ−ＳＭＦへ送信する。
【０１５３】
６０６．Ｈ−ＳＭＦは、インストールのために、訪問先ＣＤＮローカルブレイクアウトポリシーを訪問先ローカルユーザプレーンＶ−Ｌｏｃａｌ−ＵＰへ配信する。
【０１５４】
Ｈ−ＳＭＦが訪問先ＣＤＮローカルブレイクアウトポリシーを受信した後に、Ｈ−ＳＭＦは、インストールのために、受信された訪問先ＣＤＮローカルブレイクアウトポリシーを訪問先ローカルユーザプレーンＶ−Ｌｏｃａｌ−ＵＰへ配信する。
【０１５５】
６０７．Ｖ−Ｌｏｃａｌ−ＵＰは、インストール成功応答メッセージをＨ−ＳＭＦへ送信する。
【０１５６】
Ｖ−Ｌｏｃａｌ−ＵＰが訪問先ＣＤＮローカルブレイクアウトポリシーのインストールに成功した後に、Ｖ−Ｌｏｃａｌ−ＵＰは、インストール成功応答メッセージをＨ−ＳＭＦへ送信し、インストール成功応答メッセージは、訪問先ＣＤＮローカルブレイクアウトポリシーがＶ−Ｌｏｃａｌ−ＵＰでインストールされることに成功したことを示すために使用される。
【０１５７】
６０８．Ｈ−ＳＭＦは、訪問先ＣＤＮローカルブレイクアウトポリシーのインストール成功応答メッセージをＨ−ＰＣＦへ送信する。
【０１５８】
Ｈ−ＳＭＦが訪問先ＣＤＮローカルブレイクアウトポリシーのインストール成功応答メッセージをＶ−Ｌｏｃａｌ−ＵＰから受信した後に、Ｈ−ＳＭＦは、訪問先ＣＤＮローカルブレイクアウトポリシーのインストール成功応答メッセージをＨ−ＰＣＦへ転送する。
【０１５９】
６０９．Ｈ−ＰＣＦは、Ｈ−ＮＥＦを使用することによって、訪問先ＣＤＮローカルブレイクアウトポリシーのインストール応答メッセージをホームアプリケーションサーバＨ−ＡＳへ送信する。
【０１６０】
Ｈ−ＰＣＦが訪問先ＣＤＮローカルブレイクアウトポリシーのインストール成功応答メッセージをＨ−ＳＭＦから受信した後に、Ｈ−ＰＣＦはまず、訪問先ＣＤＮローカルブレイクアウトポリシーのインストール応答メッセージをホームネットワーク能力公開機能Ｈ−ＮＥＦエンティティへ送信し、次に、ＮＥＦを使用することによって、訪問先ＣＤＮローカルブレイクアウトポリシーのインストール応答メッセージをホームアプリケーションサーバＨ−ＡＳへ送信する。
【０１６１】
６１０．ホームアプリケーションサーバＨ−ＡＳは、訪問先ＣＤＮローカルブレイクアウトポリシーのインストールに成功したことを端末に通知し、端末がローミング位置にデプロイされた訪問先アプリケーションサーバＶ−ＡＳへのアクセスを開始してよいことを端末に通知する。
【０１６２】
ホームアプリケーションサーバＨ−ＡＳは、訪問先ＣＤＮローカルブレイクアウトポリシーのインストールに成功したことを端末に通知し、端末がローミング位置にデプロイされた訪問先アプリケーションサーバＶ−ＡＳへのアクセスを開始してよいことを端末に通知する。
【０１６３】
６１１．端末は、訪問先アプリケーションサーバＶ−ＡＳへのアクセスを開始する。
【０１６４】
端末がＶ−ＵＰへのアクセスを開始する前に、Ｈ−ＵＰは、通知メッセージをＶ−ＣＰへ送信し、通知メッセージは、Ｖ−Ｌｏｃａｌ−ＵＰをデプロイするべくローミング位置の端末のすべてのサービスを転送するよう命令するために使用され、Ｖ−ＣＰは、通常のサービス手順を使用することによって、通知メッセージをＶ−ＵＰへ転送する。Ｖ−Ｌｏｃａｌ−ＵＰが訪問先ＣＤＮローカルブレイクアウトポリシーをインストールすることに成功した後に、端末は、Ｖ−ＵＰへのアクセスを開始する。Ｖ−ＵＰは、ローミング加入者のすべてのサービス手順をＶ−Ｌｏｃａｌ−ＵＰへ送信する。端末によってアクセスされるサーバアドレスが、ローカルブレイクアウトポリシーのフロー記述情報において定義される目標サーバアドレスと一致しているとＶ−Ｌｏｃａｌ−ＵＰが決定した場合、Ｖ−Ｌｏｃａｌ−ＵＰは、訪問先ＣＤＮローカルブレイクアウトポリシーを実行し、端末のサービスフローを訪問先アプリケーションサーバＶ−ＡＳに分配する。端末によってアクセスされるサーバアドレスが、ローカルブレイクアウトポリシーのフロー記述情報において定義される目標サーバアドレスと一致しないとＶ−Ｌｏｃａｌ−ＵＰが決定した場合、サービスは通常のサービスであり、端末のサービスフローは、ホームアプリケーションサーバＨ−ＡＳに分配される。
【０１６５】
加入サービスのサービスフローは、依然として、処理のために、Ｈ−ＵＰへ転送される必要があることに注意すべきである。
【０１６６】
本願の本実施形態において、端末は、訪問先ＣＤＮサーバにアクセスするとき、Ｈ−ＣＰによってプッシュされた訪問先ＣＤＮローカルブレイクアウトポリシーに基づいて、ローミング位置にデプロイされたＶ−ＵＰに対してローカルブレイクアウトを直接実行し得て、このようにして、端末によって同様に生成されたデータフローをＨ−ＵＰへ返してデータフローをループバックする必要性を生じさせることなく、訪問先ＣＤＮサーバはさらにアクセスされ、それにより、ローミング位置とホーム位置との間のネットワーク間トラフィック消費を低減し、ローミング位置で端末のローカルブレイクアウト機能を実装し、サービス品質を改善する。
【０１６７】
上記では、本願の本実施形態におけるローミングシナリオにおけるオフロード方法を説明した。以下では、本願の実施形態におけるネットワークデバイスを説明する。図７を参照すると、本願の実施形態におけるネットワークデバイスの実施形態は、ホームコアネットワーク制御プレーンＨ−ＣＰによって送信された第１メッセージを受信することであって、第１メッセージは、加入サービスに基づくローカルブレイクアウトＬＢＯポリシーを含み、加入サービスは、ローカルブレイクアウトが実行される必要がある、ユーザのサービスである、ことを行うよう構成される受信ユニット７０１と、ＬＢＯポリシーを訪問先コアネットワークユーザプレーンＶ−ＵＰへ送信することであって、その結果、ＬＢＯポリシーはＶ−ＵＰにインストールされ、加入サービスのためのローカルブレイクアウト処理が実装される、ことを行うよう構成される第１送信ユニット７０２とを備える。
【０１６８】
本願の本実施形態において、Ｖ−ＣＰは、Ｈ−ＣＰによってプッシュされた加入サービスのローカルブレイクアウトポリシーを受信し、加入サービスのローカルブレイクアウトポリシーに基づいて、Ｖ−ＵＰに対してローカルブレイクアウトを実行する。端末によって同様に生成されたデータフローをＨ−ＵＰへ返しデータフローをループバックする必要性を生じさせることなく、訪問先サーバはさらにアクセスされ、それにより、ローミング位置とホーム位置との間のネットワーク間トラフィック消費を低減し、ローミング位置で端末のローカルブレイクアウト機能を実装し、サービス品質を改善する。
【０１６９】
図８を参照すると、本願の別の実施形態におけるネットワークデバイスの実施形態は、ホームコアネットワーク制御プレーンＨ−ＣＰによって送信された第１メッセージを受信することであって、第１メッセージは、加入サービスに基づくローカルブレイクアウトＬＢＯポリシーを含み、加入サービスは、ローカルブレイクアウトが実行される必要がある、ユーザのサービスである、ことを行うよう構成される受信ユニット８０１と、ＬＢＯポリシーを訪問先コアネットワークユーザプレーンＶ−ＵＰへ送信することであって、その結果、ＬＢＯポリシーはＶ−ＵＰにインストールされ、加入サービスのためのローカルブレイクアウト処理が実装される、ことを行うよう構成される第１送信ユニット８０２とを備える。
【０１７０】
任意選択で、受信ユニット８０１は具体的には、訪問先セッション管理機能Ｖ−ＳＭＦエンティティを使用することによって、ホームセッション管理機能Ｈ−ＳＭＦエンティティによって送信された第１メッセージを受信することであって、第１メッセージは、加入サービスに基づくＬＢＯポリシーを含む、こと、または、訪問先ポリシー制御機能Ｖ−ＰＣＦエンティティを使用することによって、ホームポリシー制御機能Ｈ−ＰＣＦエンティティによって送信された第１メッセージを受信することであって、第１メッセージは、加入サービスに基づくＬＢＯポリシーを含む、ことを行うよう構成される。
【０１７１】
任意選択で、ネットワークデバイスは、Ｖ−ＳＭＦを使用することによって、ＬＢＯポリシーを訪問先ポリシー制御機能Ｖ−ＰＣＦエンティティへ送信するよう構成される第２送信ユニット８０３と、Ｖ−ＰＣＦを使用することによって、ＬＢＯポリシーが有効かどうかを決定するよう構成される第１決定ユニット８０４とをさらに含み得る。
【０１７２】
任意選択で、ネットワークデバイスはさらに、ＬＢＯポリシーが有効かどうかをＶ−ＰＣＦを使用することによって決定するよう構成される第２決定ユニット８０５を備え得る。
【０１７３】
任意選択で、第１送信ユニット８０２は具体的には、Ｖ−ＳＭＦを使用することによってＬＢＯポリシーをＶ−ＵＰへ送信するよう構成される。
【０１７４】
本願の本実施形態において、Ｖ−ＣＰは、Ｈ−ＣＰによってプッシュされた加入サービスのローカルブレイクアウトポリシーを受信し、加入サービスのローカルブレイクアウトポリシーに基づいて、Ｖ−ＵＰに対してローカルブレイクアウトを実行する。端末によって同様に生成されたデータフローをＨ−ＵＰへ返しデータフローをループバックする必要性を生じさせることなく、訪問先サーバはさらにアクセスされ、それにより、ローミング位置とホーム位置との間のネットワーク間トラフィック消費を低減し、ローミング位置で端末のローカルブレイクアウト機能を実装し、サービス品質を改善する。
【０１７５】
図９を参照すると、本願の実施形態におけるネットワークデバイスの別の実施形態は、加入サービスに基づいてローカルブレイクアウトＬＢＯポリシーを取得するよう構成される取得ユニット９０１であって、加入サービスは、ローカルブレイクアウトが実行される必要がある、ユーザのサービスである、取得ユニット９０１と、第１メッセージを訪問先コアネットワーク制御プレーンＶ−ＣＰへ送信するよう構成される送信ユニット９０２であって、第１メッセージはＬＢＯポリシーを含む、送信ユニット９０２とを備える。
【０１７６】
本願の本実施形態において、Ｈ−ＣＰは、加入サービスのローカルブレイクアウトポリシーを取得し、加入サービスのローカルブレイクアウトポリシーをＶ−ＣＰにプッシュし、その結果、加入サービスのローカルブレイクアウトポリシーは、ローミング位置でインストールされ、ローカルブレイクアウトが実装される。端末によって同様に生成されたデータフローをＨ−ＵＰへ返しデータフローをループバックする必要性を生じさせることなく、訪問先サーバはさらにアクセスされ、それにより、ローミング位置とホーム位置との間のネットワーク間トラフィック消費を低減し、ローミング位置で端末のローカルブレイクアウト機能を実装し、サービス品質を改善する。
【０１７７】
図１０を参照すると、本願の実施形態におけるネットワークデバイスの別の実施形態は、加入サービスに基づいてローカルブレイクアウトＬＢＯポリシーを取得するよう構成される取得ユニット１００１であって、加入サービスは、ローカルブレイクアウトが実行される必要がある、ユーザのサービスである、取得ユニット９０１と、第１メッセージを訪問先コアネットワーク制御プレーンＶ−ＣＰへ送信するよう構成される送信ユニット９０２であって、第１メッセージはＬＢＯポリシーを含む、送信ユニット１００２とを備える。
【０１７８】
任意選択で、送信ユニット１００２はさらに、ホームセッション管理機能Ｈ−ＳＭＦエンティティを使用することによって、第１メッセージを訪問先セッション管理機能Ｖ−ＳＭＦエンティティへ送信するよう構成される第１送信サブユニット１００２１を含み、第１メッセージはＬＢＯポリシーを含み得る。
【０１７９】
任意選択で、送信ユニット１００２はさらに、ホームポリシー制御機能Ｈ−ＰＣＦエンティティを使用することによって、第１メッセージを訪問先ポリシー制御機能Ｖ−ＰＣＦエンティティへ送信するよう構成される第２送信サブユニット１００２２を備え、第１メッセージはＬＢＯポリシーを含み得る。
【０１８０】
任意選択で、取得ユニット１００１は具体的には、ホームセッション管理機能Ｈ−ＳＭＦエンティティを使用することによって、ＬＢＯポリシーを構成すること、ホームアプリケーションサーバＨ−ＡＳによって送信された、ＬＢＯポリシーを含む第２メッセージを受信すること、または、ＬＢＯポリシーをホームポリシー制御機能Ｈ−ＰＣＦエンティティから取得することを行うよう構成される。
【０１８１】
本願の本実施形態において、Ｈ−ＣＰは、加入サービスのローカルブレイクアウトポリシーを取得し、加入サービスのローカルブレイクアウトポリシーをＶ−ＣＰにプッシュし、その結果、加入サービスのローカルブレイクアウトポリシーは、ローミング位置でインストールされ、ローカルブレイクアウトが実装される。端末によって同様に生成されたデータフローをＨ−ＵＰへ返しデータフローをループバックする必要性を生じさせることなく、訪問先サーバはさらにアクセスされ、それにより、ローミング位置とホーム位置との間のネットワーク間トラフィック消費を低減し、ローミング位置で端末のローカルブレイクアウト機能を実装し、サービス品質を改善する。
【０１８２】
図１１を参照すると、本願の実施形態におけるネットワークデバイスの別の実施形態は、加入サービスに基づいて、ローカルブレイクアウトＬＢＯポリシーを取得するよう構成される取得ユニットであって、加入サービスは、ローカルブレイクアウトが実行される必要がある、ユーザのサービスである、取得ユニット１１０１と、第１メッセージを訪問先ローカルユーザプレーンＶ−Ｌｏｃａｌ−ＵＰへ送信するよう構成される送信ユニットであって、第１メッセージはＬＢＯポリシーを含み、その結果、加入サービスのトラフィックは訪問先アプリケーションサーバＶ−ＡＳにオフロードされる、送信ユニット１１０２とを備える。
【０１８３】
任意選択で、送信ユニット１１０２は具体的には、ホームセッション管理機能Ｈ−ＳＭＦエンティティを使用することによって、第１メッセージを訪問先ローカルユーザプレーンＶ−Ｌｏｃａｌ−ＵＰへ送信するよう構成される。
【０１８４】
本願の本実施形態において、Ｈ−ＣＰは、加入サービスのローカルブレイクアウトポリシーを取得し、加入サービスのローカルブレイクアウトポリシーをＶ−Ｌｏｃａｌ−ＵＰにプッシュし、その結果、加入サービスのローカルブレイクアウトポリシーは、ローミング位置でインストールされ、ローカルブレイクアウトが実装される。端末によって同様に生成されたデータフローをＨ−ＵＰへ返しデータフローをループバックする必要性を生じさせることなく、訪問先サーバはさらにアクセスされ、それにより、ローミング位置とホーム位置との間のネットワーク間トラフィック消費を低減し、ローミング位置で端末のローカルブレイクアウト機能を実装し、サービス品質を改善する。
【０１８５】
図１２を参照すると、本願の実施形態におけるネットワークデバイスの別の実施形態は、ホームコアネットワーク制御プレーンＨ−ＣＰによって送信された、加入サービスに基づくローカルブレイクアウトＬＢＯポリシーを受信することであって、加入サービスは、ローカルブレイクアウトが実行される必要がある、ユーザのためのサービスである、ことを行うよう構成される受信ユニット１２０１と、ＬＢＯポリシーをインストールするよう構成されるインストールユニット１２０２と、Ｖ−Ｌｏｃａｌ−ＵＰが、訪問先コアネットワークユーザプレーンＶ−ＵＰによって送信されたサービスが加入サービスであると決定した場合、加入サービスのトラフィックを訪問先アプリケーションサーバＶ−ＡＳにオフロードするよう構成されるオフロードユニット１２０３とを備える。
【０１８６】
任意選択で、受信ユニット１２０１は具体的には、ホームセッション管理機能Ｈ−ＳＭＦエンティティによって送信される、加入サービスに基づくローカルブレイクアウトＬＢＯポリシーを受信するよう構成される。
【０１８７】
本願の本実施形態において、Ｖ−Ｌｏｃａｌ−ＵＰは、Ｈ−ＣＰによってプッシュされた加入サービスのローカルブレイクアウトポリシーを受信し、加入サービスのローカルブレイクアウトポリシーに基づいて、Ｖ−Ｌｏｃａｌ−ＵＰに対してローカルブレイクアウトを実行する。端末によって同様に生成されたデータフローをＨ−ＵＰへ返しデータフローをループバックする必要性を生じさせることなく、訪問先サーバはさらにアクセスされ、それにより、ローミング位置とホーム位置との間のネットワーク間トラフィック消費を低減し、ローミング位置で端末のローカルブレイクアウト機能を実装し、サービス品質を改善する。
【０１８８】
上の図７〜図１２は、モジュール機能エンティティの観点から、本願の本実施形態におけるネットワークデバイスを詳細に個別に説明した。以下では、ハードウェア処理の観点から、本願の本実施形態におけるネットワークデバイスを詳細に説明する。図１３を参照すると、本願の実施形態におけるネットワークデバイスの別の実施形態は以下を含む。
【０１８９】
図１３は本願のある実施形態に係るネットワークデバイスの概略構造図である。構成または性能の差に起因して、ネットワークデバイス１３００における比較的大きい差が生成され得る。ネットワークデバイス１３００は、１または複数のプロセッサ（中央処理装置、ＣＰＵ）１３０１（例えば、１または複数のプロセッサ）、１または複数のメモリ１３０９、および、アプリケーションプログラム１３０７またはデータ１３０６を格納するための１または複数の記憶媒体１３０８（例えば、１または複数の大容量記憶装置）を含み得る。メモリ１３０９および記憶媒体１３０８は、各々、一時的ストレージまたは永続的ストレージであり得る。記憶媒体１３０８に格納されるプログラムは、１または複数のモジュール（図では示されない）を含み得る。各モジュールは、ネットワークデバイスのための一連の命令オペレーションを含み得る。さらに、プロセッサ１３０１は、記憶媒体１３０８と通信し、ネットワークデバイス１３００に対して、記憶媒体１３０８における一連の命令オペレーションを実行するよう構成され得る。
【０１９０】
ネットワークデバイス１３００はさらに、１または複数の電源１３０２、１または複数の有線または無線ネットワークインタフェース１３０３、１または複数の入出力インタフェース１３０４、および／または、Ｗｉｎｄｏｗｓ（登録商標）  Ｓｅｒｖｅｒ、Ｍａｃ  ＯＳ  Ｘ（登録商標）、Ｕｎｉｘ（登録商標）、Ｌｉｎｕｘ（登録商標）、または、ＦｒｅｅＢＳＤ（登録商標）など、１または複数のオペレーティングシステム１３０５を含み得る。当業者であれば、図１３に示されるネットワークデバイスの構造が、ネットワークデバイスに対して限定を構成せず、ネットワークデバイスは、図に示されるものより多くの、または、少ない部品、または、いくつかの部品の組み合わせ、または、異なるように配置された部品を含み得ることを理解し得る。
【０１９１】
以下では、図１３を参照して、ネットワークデバイスの各コンポーネントを詳細に説明する。
【０１９２】
メモリ１３０９は、ソフトウェアプログラムおよびモジュールを格納するよう構成され得て、プロセッサ１３０１は、メモリ１３０９に格納されたソフトウェアプログラムおよびモジュールを動作させ、ネットワークデバイスのさまざまな機能アプリケーション、および、データ処理を実行する。メモリ１３０９は主に、プログラム格納領域およびデータ格納領域を含み得る。プログラム格納領域は、オペレーティングシステム、少なくとも１つの機能によって要求されるアプリケーションプログラム（認証機能など）、および同様のものを格納し得る。データ格納領域は、ネットワークデバイスおよび同様のものの使用に基づいて作成されたデータ（訪問先ＣＤＮローカルブレイクアウトポリシー、および、ホーム事業者のグラント情報など）を格納し得る。さらに、メモリ１３０９は、高速ランダムアクセスメモリを含んでよく、さらに不揮発性メモリ、例えば、少なくとも１つの磁気ディスク記憶装置、フラッシュ式記憶装置、又は別の揮発性半導体記憶装置を含んでよい。本願の本実施形態において提供されるローミングシナリオにおけるオフロード方法のプログラム、および、受信されたデータフローは、メモリ１３０９に格納され、プログラムおよびデータフローが使用される必要があるときにプロセッサ１３０１によってメモリ１３０９から呼び出される。
【０１９３】
プロセッサ１３０１は、ネットワークデバイスの制御中心であり、設定されたオフロード方法に基づいてサービスオフロードを実行し得る。プロセッサ１３０１は、さまざまなインタフェースおよび回線を使用することによって、ネットワークデバイス全体のすべての部品に接続され、メモリ１３０９に格納されているソフトウェアプログラムおよび／またはモジュールを動作させる、または、実行することによって、および、メモリ１３０９に格納されたデータを呼び出すことによって、ネットワークデバイスのさまざまな機能、および、データ処理を実行し、ローミングシナリオにおいてローミングサービスのデータフローのオフロードを実装する。
【０１９４】
コンピュータプログラムプロダクトは、１または複数のコンピュータ命令を含む。コンピュータプログラム命令がコンピュータ上でロードおよび実行されるときに、本発明の実施形態に係る手順または機能が全てまたは部分的に生成される。コンピュータは、汎用コンピュータ、専用コンピュータ、コンピュータネットワーク、または、他のプログラマブル機器であり得る。コンピュータ命令はコンピュータ可読記憶媒体に格納され得る、または、コンピュータ可読記憶媒体から別のコンピュータ可読記憶媒体へ伝送され得る。例えば、コンピュータ命令は、有線（例えば、同軸ケーブル、光ファイバー、または、ツイストペア）、または無線（例えば、赤外線、無線、またはマイクロ波）方式で、ウェブサイト、コンピュータ、サーバまたはデータセンターから、別のウェブサイト、コンピュータ、サーバまたはデータセンターへ伝送され得る。コンピュータ可読記憶媒体は、コンピュータからアクセス可能な任意の使用可能な媒体であってもよく、または、１または複数の使用可能な媒体を統合した、サーバまたはデータセンターなどのデータ記憶装置であってもよい。使用可能な媒体は、磁気媒体（例えば、フロッピーディスク、ハードディスク、または磁気テープ）、光媒体（例えば、光ディスク）、半導体媒体（例えば、ソリッドステートディスク（Ｓｏｌｉｄ  Ｓｔａｔｅ  Ｄｉｓｋ、ＳＳＤ））または同様のものであり得る。
【０１９５】
当業者ならば明確に理解すると考えられるように、説明を簡便かつ簡潔にする目的で、上述のシステム、装置、およびユニットの詳細な動作プロセスについては、上述の方法の実施形態における対応するプロセスを参照されたい。詳細は再度ここでは説明されない。
【０１９６】
本願において提供された、いくつかの実施形態では、開示されたシステム、装置、及び方法が他の方式で実装されてよいことを理解されたい。例えば、説明された装置の実施形態は、単なる一例にすぎない。例えば、ユニットの分割は単なる論理的機能の分割にすぎず、実際の実装では他の分割であってもよい。例えば、複数のユニット又は構成要素が組み合わされても、別のシステムに統合されてもよく、又はいくつかの特徴が無視されても実行されなくてもよい。さらに、表示又は論じられた相互連結又は直接的連結又は通信接続は、一部のインタフェースを用いて実装されてよい。装置間またはユニット間の間接結合または通信接続は、電子的形態、機械的形態、または他の形態で実装されてよい。
【０１９７】
別個の部分として説明されたユニットは、物理的に離れていてもいなくてもよく、またユニットとして示された部分が物理的ユニットであってもなくてもよく、１か所に位置してもよく、又は複数のネットワークユニットに分散されてもよい。実施形態の解決手段の目的を達成するべく、ユニットの一部または全部が実際の要求に基づいて選択されてよい。
【０１９８】
加えて、本出願の実施形態の機能ユニットは１つの処理ユニットに統合されてよく、または、ユニットの各々が物理的に単独で存在してよく、または、２またはそれより多くのユニットが１つのユニットに統合される。統合されたユニットは、ハードウェアの形態で実装されてもよく、ソフトウェア機能ユニットの形態で実装されてもよい。
【０１９９】
統合されたユニットがソフトウェア機能ユニットの形態で実装され、独立したプロダクトとして販売または使用される場合、統合されたユニットはコンピュータ可読記憶媒体に記憶されてよい。そのような理解に基づき、本出願の技術的解決手段は本質的に、または先行技術に寄与する部分は、または技術的解決手段の全部もしくは一部は、ソフトウェアプロダクトの形態で実装されてよい。コンピュータソフトウェアプロダクトは、記憶媒体に格納され、本願の実施形態において説明される方法の段階のすべてまたは一部を実行するようコンピュータデバイス（パーソナルコンピュータ、サーバまたはネットワークデバイスであり得る）に指示するための複数の命令を含む。上述の記憶媒体は、プログラムコードを格納できるあらゆる媒体、例えば、ＵＳＢフラッシュドライブ、リムーバブルハードディスク、リードオンリメモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスク、又は光ディスクなどを含む。
【０２００】
上述の実施形態は単に、本願の技術的解決法を説明することを意図するに過ぎず、本願を限定するものではない。上述の実施形態を参照して本願が詳細に説明されたが、当業者であれば、本願の実施形態の技術的解決手段の趣旨および範囲から逸脱することなく、前述の実施形態において説明された技術的解決手段に対する修正をさらに行い得るか、またはそれらのいくつかの技術的特徴の均等な置き換えを行い得ることを理解するはずである。
【図１Ａ】
2020532204.tif 000003
【図１Ｂ】
2020532204.tif 000004
【図２Ａ】
2020532204.tif 000005
【図２Ｂ】
2020532204.tif 000006
【図３】
2020532204.tif 000007
【図４】
2020532204.tif 000008
【図５】
2020532204.tif 000009
【図６】
2020532204.tif 000010
【図７】
2020532204.tif 000011
【図８】
2020532204.tif 000012
【図９】
2020532204.tif 000013
【図１０】
2020532204.tif 000014
【図１１】
2020532204.tif 000015
【図１２】
2020532204.tif 000016
【図１３】
2020532204.tif 000017
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
ローミングシナリオにおけるトラフィックオフロード方法であって、
訪問先コアネットワーク制御プレーン（Ｖ−ＣＰ）が、ホームコアネットワーク制御プレーン（Ｈ−ＣＰ）から第１メッセージを受信する段階であって、前記第１メッセージは、加入サービスに基づくローカルブレイクアウト（ＬＢＯ）ポリシーを含み、前記加入サービスは、ローカルブレイクアウトが実行される必要がある、ユーザのサービスである、段階と、
前記Ｖ−ＣＰが、前記ＬＢＯポリシーを訪問先コアネットワークユーザプレーン（Ｖ−ＵＰ）へ送信する段階であって、その結果、前記ＬＢＯポリシーは前記Ｖ−ＵＰにインストールされて、前記加入サービスのためのローカルブレイクアウト処理が実装される、段階と
を備える方法。
【請求項２】
訪問先コアネットワーク制御プレーン（Ｖ−ＣＰ）が、ホームコアネットワーク制御プレーン（Ｈ−ＣＰ）によって送信された第１メッセージを受信する前記段階は、
前記Ｖ−ＣＰが、訪問先セッション管理機能（Ｖ−ＳＭＦ）エンティティを使用することによって、ホームセッション管理機能（Ｈ−ＳＭＦ）エンティティから第１メッセージを受信する段階であって、前記第１メッセージは、前記加入サービスに基づく前記ＬＢＯポリシーを含む、段階、または、
前記Ｖ−ＣＰが、訪問先ポリシー制御機能（Ｖ−ＰＣＦ）エンティティを使用することによって、ホームポリシー制御機能（Ｈ−ＰＣＦ）エンティティから第１メッセージを受信する段階であって、前記第１メッセージは、前記加入サービスに基づく前記ＬＢＯポリシーを含む、段階
を含む、請求項１に記載の方法。
【請求項３】
前記Ｖ−ＣＰが、訪問先セッション管理機能（Ｖ−ＳＭＦ）エンティティを使用することによって、ホームセッション管理機能（Ｈ−ＳＭＦ）エンティティから第１メッセージを受信する前記段階の後であって、前記Ｖ−ＣＰが、前記ＬＢＯポリシーを訪問先コアネットワークユーザプレーン（Ｖ−ＵＰ）へ送信する前記段階の前に、前記方法はさらに、
前記Ｖ−ＣＰが、前記Ｖ−ＳＭＦエンティティを使用することによって、前記ＬＢＯポリシーを前記訪問先ポリシー制御機能（Ｖ−ＰＣＦ）エンティティへ送信する段階と、
前記Ｖ−ＣＰが、前記Ｖ−ＰＣＦエンティティを使用することによって、前記ＬＢＯポリシーが有効かどうかを決定する段階と
を備える、請求項２に記載の方法。
【請求項４】
前記Ｖ−ＣＰが、訪問先ポリシー制御機能（Ｖ−ＰＣＦ）エンティティを使用することによって、ホームポリシー制御機能（Ｈ−ＰＣＦ）エンティティによって送信された第１メッセージを受信する前記段階の後であって、前記Ｖ−ＣＰが、前記ＬＢＯポリシーを訪問先コアネットワークユーザプレーン（Ｖ−ＵＰ）へ送信する前記段階の前に、前記方法はさらに、
前記Ｖ−ＣＰが、前記Ｖ−ＰＣＦエンティティを使用することによって、前記ＬＢＯポリシーが有効かどうかを決定する段階
を備える、請求項２に記載の方法。
【請求項５】
前記Ｖ−ＣＰが、前記ＬＢＯポリシーを訪問先コアネットワークユーザプレーン（Ｖ−ＵＰ）へ送信する前記段階は、
前記Ｖ−ＣＰが、Ｖ−ＳＭＦエンティティを使用することによって、前記ＬＢＯポリシーを前記Ｖ−ＵＰへ送信する段階を含む、請求項１から４のいずれか一項に記載の方法。
【請求項６】
ローミングシナリオにおけるトラフィックオフロード方法であって、
ホームコアネットワーク制御プレーン（Ｈ−ＣＰ）が、加入サービスに基づくローカルブレイクアウト（ＬＢＯ）ポリシーを取得する段階であって、前記加入サービスは、ローカルブレイクアウトが実行される必要がある、ユーザのサービスである段階と、
前記Ｈ−ＣＰが、第１メッセージを訪問先コアネットワーク制御プレーン（Ｖ−ＣＰ）へ送信する段階であって、前記第１メッセージは前記ＬＢＯポリシーを含む、段階と
を備える方法。
【請求項７】
前記Ｈ−ＣＰが、第１メッセージを訪問先コアネットワーク制御プレーン（Ｖ−ＣＰ）へ送信する前記段階は、
前記Ｈ−ＣＰが、ホームセッション管理機能（Ｈ−ＳＭＦ）エンティティを使用することによって、第１メッセージを訪問先セッション管理機能（Ｖ−ＳＭＦ）エンティティへ送信する段階であって、前記第１メッセージは前記ＬＢＯポリシーを含む、段階を含む、請求項６に記載の方法。
【請求項８】
前記Ｈ−ＣＰが第１メッセージを訪問先コアネットワーク制御プレーン（Ｖ−ＣＰ）へ送信する前記段階は、
前記Ｈ−ＣＰが、ホームポリシー制御機能（Ｈ−ＰＣＦ）エンティティを使用することによって、前記第１メッセージを訪問先ポリシー制御機能（Ｖ−ＰＣＦ）エンティティへ送信する段階であって、前記第１メッセージは前記ＬＢＯポリシーを含む、段階を含む、請求項６に記載の方法。
【請求項９】
ホームコアネットワーク制御プレーン（Ｈ−ＣＰ）が、加入サービスに基づくローカルブレイクアウト（ＬＢＯ）ポリシーを取得する前記段階は、
前記Ｈ−ＣＰが、ホームセッション管理機能（Ｈ−ＳＭＦ）エンティティを使用することによって、前記ＬＢＯポリシーを構成する段階、
前記Ｈ−ＣＰが、ホームアプリケーションサーバ（Ｈ−ＡＳ）によって送信された第２メッセージを受信する段階であって、前記第２メッセージは前記ＬＢＯポリシーを含む、段階、または、
前記Ｈ−ＣＰが、前記ＬＢＯポリシーをホームポリシー制御機能（Ｈ−ＰＣＦ）エンティティから取得する段階
を含む、請求項６から８のいずれか一項に記載の方法。
【請求項１０】
前記第１メッセージは、ローミング位置の事業者のグラント情報を含む、請求項６から８のいずれか一項に記載の方法。
【請求項１１】
ネットワークデバイスであって、
ホームコアネットワーク制御プレーン（Ｈ−ＣＰ）によって送信された第１メッセージを受信するよう構成される受信ユニットであって、前記第１メッセージは、加入サービスに基づくローカルブレイクアウト（ＬＢＯ）ポリシーを含み、前記加入サービスは、ローカルブレイクアウトが実行される必要がある、ユーザのためのサービスである、受信ユニットと、
前記ＬＢＯポリシーを訪問先コアネットワークユーザプレーン（Ｖ−ＵＰ）へ送信し、その結果、前記ＬＢＯポリシーは前記Ｖ−ＵＰにインストールされ、前記加入サービスのためのローカルブレイクアウト処理が実装されるよう構成される第１送信ユニットと
を備えるネットワークデバイス。
【請求項１２】
前記受信ユニットは、具体的には、
訪問先セッション管理機能（Ｖ−ＳＭＦ）エンティティを使用することによって、ホームセッション管理機能（Ｈ−ＳＭＦ）エンティティによって送信された、前記加入サービスに基づく前記ＬＢＯポリシーを含む第１メッセージを受信する、または、
訪問先ポリシー制御機能（Ｖ−ＰＣＦ）エンティティを使用することによって、ホームポリシー制御機能（Ｈ−ＰＣＦ）エンティティによって送信された、前記加入サービスに基づく前記ＬＢＯポリシーを含む第１メッセージを受信する
よう構成される、請求項１１に記載のネットワークデバイス。
【請求項１３】
前記ネットワークデバイスはさらに、
前記Ｖ−ＳＭＦエンティティを使用することによって、前記ＬＢＯポリシーを前記訪問先ポリシー制御機能（Ｖ−ＰＣＦ）エンティティへ送信するよう構成される第２送信ユニットと、
前記Ｖ−ＰＣＦエンティティを使用することによって、前記ＬＢＯポリシーが有効かどうかを決定するよう構成される第１決定ユニットと
を備える、請求項１２に記載のネットワークデバイス。
【請求項１４】
前記ネットワークデバイスは更に、前記Ｖ−ＰＣＦエンティティを使用することによって、前記ＬＢＯポリシーが有効かどうかを決定するよう構成される第２決定ユニットを含む、請求項１２に記載のネットワークデバイス。
【請求項１５】
前記第１送信ユニットは具体的には、
Ｖ−ＳＭＦエンティティを使用することによって、前記ＬＢＯポリシーを前記Ｖ−ＵＰへ送信するよう構成される、請求項１１から１４のいずれか一項に記載のネットワークデバイス。
【請求項１６】
ネットワークデバイスであって、
加入サービスに基づくローカルブレイクアウト（ＬＢＯ）ポリシーを取得するよう構成される取得ユニットであって、前記加入サービスは、ローカルブレイクアウトが実行される必要がある、ユーザのサービスである、取得ユニットと、
第１メッセージを訪問先コアネットワーク制御プレーンＶ−ＣＰへ送信するよう構成される送信ユニットであって、前記第１メッセージは前記ＬＢＯポリシーを含む、送信ユニットと
を備えるネットワークデバイス。
【請求項１７】
前記送信ユニットは、
ホームセッション管理機能（Ｈ−ＳＭＦ）エンティティを使用することによって、第１メッセージを訪問先セッション管理機能（Ｖ−ＳＭＦ）エンティティへ送信するよう構成される第１送信サブユニットであって、前記第１メッセージは前記ＬＢＯポリシーを含む、第１送信サブユニットを有する、請求項１６に記載のネットワークデバイス。
【請求項１８】
前記送信ユニットは、
ホームポリシー制御機能（Ｈ−ＰＣＦ）エンティティを使用することによって、前記ＬＢＯポリシーを含む前記第１メッセージを訪問先ポリシー制御機能（Ｖ−ＰＣＦ）エンティティへ送信するよう構成される第２送信サブユニットを有する、請求項１６に記載のネットワークデバイス。
【請求項１９】
前記取得ユニットは具体的には、
ホームセッション管理機能（Ｈ−ＳＭＦ）エンティティを使用することによって、前記ＬＢＯポリシーを構成する、
ホームアプリケーションサーバ（Ｈ−ＡＳ）によって送信された、前記ＬＢＯポリシーを含む第２メッセージを受信する、または、
前記ＬＢＯポリシーをホームポリシー制御機能（Ｈ−ＰＣＦ）エンティティから取得する
よう構成される、請求項１６から１８のいずれか一項に記載のネットワークデバイス。
【請求項２０】
請求項１から１０のいずれか一項に記載のトラフィックオフロード方法をコンピュータに実行させるプログラム。
【請求項２１】
請求項１から５のいずれか一項に記載の方法を実行するよう構成される訪問先コアネットワーク制御プレーン（Ｖ−ＣＰ）と、請求項６から１０のいずれか一項に記載の方法を実行するよう構成されるホームコアネットワーク制御プレーン（Ｈ−ＣＰ）とを備えるトラフィックオフロードシステム。
【手続補正２】
【補正対象書類名】明細書
【補正対象項目名】０００１
【補正方法】変更
【補正の内容】
【０００１】
本願は、「トラフィックオフロード方法およびローミングシナリオにおける関連するデバイス」と題する、２０１７年８月３１日に中国国家知識産権局に出願された中国特許出願第２０１７１０７７６５６３．３号の優先権を主張するものであり、それは参照によって全体として本明細書に組み込まれる。
【手続補正３】
【補正対象書類名】明細書
【補正対象項目名】０２００
【補正方法】変更
【補正の内容】
【０２００】
上述の実施形態は単に、本願の技術的解決法を説明することを意図するに過ぎず、本願を限定するものではない。上述の実施形態を参照して本願が詳細に説明されたが、当業者であれば、本願の実施形態の技術的解決手段の趣旨および範囲から逸脱することなく、前述の実施形態において説明された技術的解決手段に対する修正をさらに行い得るか、またはそれらのいくつかの技術的特徴の均等な置き換えを行い得ることを理解するはずである。
（項目１)
ローミングシナリオにおけるトラフィックオフロード方法であって、
訪問先コアネットワーク制御プレーンＶ−ＣＰが、ホームコアネットワーク制御プレーンＨ−ＣＰによって送信された第１メッセージを受信する段階であって、上記第１メッセージは、加入サービスに基づくローカルブレイクアウトＬＢＯポリシーを含み、上記加入サービスは、ローカルブレイクアウトが実行される必要がある、ユーザのサービスである、段階と、
上記Ｖ−ＣＰが、上記ＬＢＯポリシーを訪問先コアネットワークユーザプレーンＶ−ＵＰへ送信する段階であって、その結果、上記ＬＢＯポリシーは上記Ｖ−ＵＰにインストールされて、上記加入サービスのためのローカルブレイクアウト処理が実装される、段階と
を備える方法。
（項目２)
訪問先コアネットワーク制御プレーンＶ−ＣＰが、ホームコアネットワーク制御プレーンＨ−ＣＰによって送信された第１メッセージを受信する上記段階は、
上記Ｖ−ＣＰが、訪問先セッション管理機能Ｖ−ＳＭＦエンティティを使用することによって、ホームセッション管理機能Ｈ−ＳＭＦエンティティによって送信された第１メッセージを受信する段階であって、上記第１メッセージは、上記加入サービスに基づく上記ＬＢＯポリシーを含む、段階、または、
上記Ｖ−ＣＰが、訪問先ポリシー制御機能Ｖ−ＰＣＦエンティティを使用することによって、ホームポリシー制御機能Ｈ−ＰＣＦエンティティによって送信された第１メッセージを受信する段階であって、上記第１メッセージは、上記加入サービスに基づく上記ＬＢＯポリシーを含む、段階
を含む、項目１に記載の方法。
（項目３)
上記Ｖ−ＣＰが、訪問先セッション管理機能Ｖ−ＳＭＦエンティティを使用することによって、ホームセッション管理機能Ｈ−ＳＭＦエンティティによって送信された第１メッセージを受信する上記段階の後であって、上記Ｖ−ＣＰが、上記ＬＢＯポリシーを訪問先コアネットワークユーザプレーンＶ−ＵＰへ送信する上記段階の前に、上記方法はさらに、
上記Ｖ−ＣＰが、上記Ｖ−ＳＭＦを使用することによって、上記ＬＢＯポリシーを上記訪問先ポリシー制御機能Ｖ−ＰＣＦエンティティへ送信する段階と、
上記Ｖ−ＣＰが、上記Ｖ−ＰＣＦを使用することによって、上記ＬＢＯポリシーが有効かどうかを決定する段階と
を備える、項目２に記載の方法。
（項目４)
上記Ｖ−ＣＰが、訪問先ポリシー制御機能Ｖ−ＰＣＦエンティティを使用することによって、ホームポリシー制御機能Ｈ−ＰＣＦエンティティによって送信された第１メッセージを受信する上記段階の後であって、上記Ｖ−ＣＰが、上記ＬＢＯポリシーを訪問先コアネットワークユーザプレーンＶ−ＵＰへ送信する上記段階の前に、上記方法はさらに、
上記Ｖ−ＣＰが、上記Ｖ−ＰＣＦを使用することによって、上記ＬＢＯポリシーが有効かどうかを決定する段階
を備える、項目２に記載の方法。
（項目５)
上記Ｖ−ＣＰが、上記ＬＢＯポリシーを訪問先コアネットワークユーザプレーンＶ−ＵＰへ送信する上記段階は、
上記Ｖ−ＣＰが、上記Ｖ−ＳＭＦを使用することによって、上記ＬＢＯポリシーを上記Ｖ−ＵＰへ送信する段階を含む、項目１から４のいずれか一項に記載の方法。
（項目６)
ローミングシナリオにおけるトラフィックオフロード方法であって、
ホームコアネットワーク制御プレーンＨ−ＣＰが、加入サービスに基づくローカルブレイクアウトＬＢＯポリシーを取得する段階であって、上記加入サービスは、ローカルブレイクアウトが実行される必要がある、ユーザのサービスである段階と、
上記Ｈ−ＣＰが、第１メッセージを訪問先コアネットワーク制御プレーンＶ−ＣＰへ送信する段階であって、上記第１メッセージは上記ＬＢＯポリシーを含む、段階と
を備える方法。
（項目７)
上記Ｈ−ＣＰが、第１メッセージを訪問先コアネットワーク制御プレーンＶ−ＣＰへ送信する上記段階は、
上記Ｈ−ＣＰが、ホームセッション管理機能Ｈ−ＳＭＦエンティティを使用することによって、第１メッセージを訪問先セッション管理機能Ｖ−ＳＭＦエンティティへ送信する段階であって、上記第１メッセージは上記ＬＢＯポリシーを含む、段階を含む、項目６に記載の方法。
（項目８)
上記Ｈ−ＣＰが第１メッセージを訪問先コアネットワーク制御プレーンＶ−ＣＰへ送信する上記段階は、
上記Ｈ−ＣＰが、ホームポリシー制御機能Ｈ−ＰＣＦエンティティを使用することによって、上記第１メッセージを訪問先ポリシー制御機能Ｖ−ＰＣＦエンティティへ送信する段階であって、上記第１メッセージは上記ＬＢＯポリシーを含む、段階を含む、項目６に記載の方法。
（項目９)
ホームコアネットワーク制御プレーンＨ−ＣＰが、加入サービスに基づくローカルブレイクアウトＬＢＯポリシーを取得する上記段階は、
上記Ｈ−ＣＰが、上記ホームセッション管理機能Ｈ−ＳＭＦエンティティを使用することによって、上記ＬＢＯポリシーを構成する段階、
上記Ｈ−ＣＰが、ホームアプリケーションサーバＨ−ＡＳによって送信された第２メッセージを受信する段階であって、上記第２メッセージは上記ＬＢＯポリシーを含む、段階、または、
上記Ｈ−ＣＰが、上記ＬＢＯポリシーを上記ホームポリシー制御機能Ｈ−ＰＣＦエンティティから取得する段階
を含む、項目６から８のいずれか一項に記載の方法。
（項目１０)
上記第１メッセージは、ローミング位置の事業者のグラント情報を含む、項目６から８のいずれか一項に記載の方法。
（項目１１)
ローミングシナリオにおけるトラフィックオフロード方法であって、
ホームコアネットワーク制御プレーンＨ−ＣＰが、加入サービスに基づくローカルブレイクアウトＬＢＯポリシーを取得する段階であって、上記加入サービスは、ローカルブレイクアウトが実行される必要がある、ユーザのサービスである、段階と、
上記Ｈ−ＣＰが、第１メッセージを訪問先ローカルユーザプレーンＶ−Ｌｏｃａｌ−ＵＰへ送信する段階であって、上記第１メッセージは、上記ＬＢＯポリシーを含み、その結果、上記加入サービスのトラフィックは、訪問先アプリケーションサーバＶ−ＡＳへオフロードされる、段階と
を備える方法。
（項目１２)
上記Ｈ−ＣＰが、第１メッセージを訪問先ローカルユーザプレーンＶ−Ｌｏｃａｌ−ＵＰへ送信する上記段階は、
上記Ｈ−ＣＰが、ホームセッション管理機能Ｈ−ＳＭＦエンティティを使用することによって、上記第１メッセージを上記訪問先ローカルユーザプレーンＶ−Ｌｏｃａｌ−ＵＰへ送信する段階を含む、項目１１に記載の方法。
（項目１３)
ローミングシナリオにおけるトラフィックオフロード方法であって、
訪問先ローカルユーザプレーンＶ−Ｌｏｃａｌ−ＵＰが、ホームコアネットワーク制御プレーンＨ−ＣＰによって送信された、加入サービスのためのローカルブレイクアウトＬＢＯポリシーを受信する段階であって、上記加入サービスは、ローカルブレイクアウトが実行される必要がある、ユーザのサービスである、段階と、
上記Ｖ−Ｌｏｃａｌ−ＵＰが、上記ＬＢＯポリシーをインストールする段階と、
訪問先コアネットワークユーザプレーンＶ−ＵＰによって送信されたサービスが加入サービスであると上記Ｖ−Ｌｏｃａｌ−ＵＰが決定した場合、上記Ｖ−Ｌｏｃａｌ−ＵＰが、上記加入サービスのトラフィックを訪問先アプリケーションサーバＶ−ＡＳにオフロードする段階と
を備える方法。
（項目１４)
訪問先ローカルユーザプレーンＶ−Ｌｏｃａｌ−ＵＰが、ホームコアネットワーク制御プレーンＨ−ＣＰによって送信された、加入サービスのためのローカルブレイクアウトＬＢＯポリシーを受信する上記段階は、
上記Ｖ−Ｌｏｃａｌ−ＵＰが、ホームセッション管理機能Ｈ−ＳＭＦエンティティによって送信された、上記加入サービスのためのローカルブレイクアウトＬＢＯポリシーを受信する段階を含む、項目１３に記載の方法。
（項目１５)
ネットワークデバイスであって、
ホームコアネットワーク制御プレーンＨ−ＣＰによって送信された第１メッセージを受信するよう構成される受信ユニットであって、上記第１メッセージは、加入サービスに基づくローカルブレイクアウトＬＢＯポリシーを含み、上記加入サービスは、ローカルブレイクアウトが実行される必要がある、ユーザのためのサービスである、受信ユニットと、
上記ＬＢＯポリシーを訪問先コアネットワークユーザプレーンＶ−ＵＰへ送信し、その結果、上記ＬＢＯポリシーは上記Ｖ−ＵＰにインストールされ、上記加入サービスのためのローカルブレイクアウト処理が実装されるよう構成される第１送信ユニットと
を備えるネットワークデバイス。
（項目１６)
上記受信ユニットは、具体的には、
訪問先セッション管理機能Ｖ−ＳＭＦエンティティを使用することによって、ホームセッション管理機能Ｈ−ＳＭＦエンティティによって送信された、上記加入サービスに基づく上記ＬＢＯポリシーを含む第１メッセージを受信する、または、
訪問先ポリシー制御機能Ｖ−ＰＣＦエンティティを使用することによって、ホームポリシー制御機能Ｈ−ＰＣＦエンティティによって送信された、上記加入サービスに基づく上記ＬＢＯポリシーを含む第１メッセージを受信する
よう構成される、項目１５に記載のネットワークデバイス。
（項目１７)
上記Ｖ−ＣＰが、訪問先セッション管理機能Ｖ−ＳＭＦエンティティを使用することによって、ホームセッション管理機能Ｈ−ＳＭＦエンティティよって送信された第１メッセージを受信した後であって、上記Ｖ−ＣＰが、上記ＬＢＯポリシーを訪問先コアネットワークユーザプレーンＶ−ＵＰへ送信する前に、上記ネットワークデバイスはさらに、
上記Ｖ−ＳＭＦを使用することによって、上記ＬＢＯポリシーを上記訪問先ポリシー制御機能Ｖ−ＰＣＦエンティティへ送信するよう構成される第２送信ユニットと、
上記Ｖ−ＰＣＦを使用することによって、上記ＬＢＯポリシーが有効かどうかを決定するよう構成される第１決定ユニットと
を備える、項目１６に記載のネットワークデバイス。
（項目１８)
上記Ｖ−ＣＰが、訪問先ポリシー制御機能Ｖ−ＰＣＦエンティティを使用することによって、ホームポリシー制御機能Ｈ−ＰＣＦエンティティによって送信された第１メッセージを受信した後であって、上記Ｖ−ＣＰが、上記ＬＢＯポリシーを訪問先コアネットワークユーザプレーンＶ−ＵＰへ送信する前に、上記ネットワークデバイスはさらに、
上記Ｖ−ＰＣＦを使用することによって、上記ＬＢＯポリシーが有効かどうかを決定するよう構成される第２決定ユニットを備える、項目１６に記載のネットワークデバイス。
（項目１９)
上記第１送信ユニットは具体的には、
上記Ｖ−ＳＭＦを使用することによって、上記ＬＢＯポリシーを上記Ｖ−ＵＰへ送信するよう構成される、項目１５から１８のいずれか一項に記載のネットワークデバイス。
（項目２０)
ネットワークデバイスであって、
加入サービスに基づくローカルブレイクアウトＬＢＯポリシーを取得するよう構成される取得ユニットであって、上記加入サービスは、ローカルブレイクアウトが実行される必要がある、ユーザのサービスである、取得ユニットと、
第１メッセージを訪問先コアネットワーク制御プレーンＶ−ＣＰへ送信するよう構成される送信ユニットであって、上記第１メッセージは上記ＬＢＯポリシーを含む、送信ユニットと
を備えるネットワークデバイス。
（項目２１)
上記送信ユニットは、
ホームセッション管理機能Ｈ−ＳＭＦエンティティを使用することによって、第１メッセージを訪問先セッション管理機能Ｖ−ＳＭＦエンティティへ送信するよう構成される第１送信サブユニットであって、上記第１メッセージは上記ＬＢＯポリシーを含む、第１送信サブユニットを有する、項目２０に記載のネットワークデバイス。
（項目２２)
上記送信ユニットは、
ホームポリシー制御機能Ｈ−ＰＣＦエンティティを使用することによって、上記第１メッセージを訪問先ポリシー制御機能Ｖ−ＰＣＦエンティティへ送信するよう構成される第２送信サブユニットであって、上記第１メッセージは上記ＬＢＯポリシーを含む、第２送信サブユニットを有する、項目２０に記載のネットワークデバイス。
（項目２３)
上記取得ユニットは具体的には、
上記ホームセッション管理機能Ｈ−ＳＭＦエンティティを使用することによって、上記ＬＢＯポリシーを構成する、
ホームアプリケーションサーバＨ−ＡＳによって送信された、上記ＬＢＯポリシーを含む第２メッセージを受信する、または、
上記ＬＢＯポリシーを上記ホームポリシー制御機能Ｈ−ＰＣＦエンティティから取得する
よう構成される、項目２０から２２のいずれか一項に記載のネットワークデバイス。
（項目２４)
上記第１メッセージは、ローミング位置の事業者のグラント情報を含む、項目２０から２２のいずれか一項に記載のネットワークデバイス。
（項目２５)
加入サービスに基づいて、ローカルブレイクアウトＬＢＯポリシーを取得するよう構成される取得ユニットであって、上記加入サービスは、ローカルブレイクアウトが実行される必要がある、ユーザのサービスである、取得ユニットと、
第１メッセージを訪問先ローカルユーザプレーンＶ−Ｌｏｃａｌ−ＵＰへ送信するよう構成される送信ユニットであって、上記第１メッセージは上記ＬＢＯポリシーを含み、その結果、上記加入サービスのトラフィックは訪問先アプリケーションサーバＶ−ＡＳにオフロードされる、送信ユニットと
を備えるネットワークデバイス。
（項目２６)
上記送信ユニットは具体的には、
ホームセッション管理機能Ｈ−ＳＭＦエンティティを使用することによって、上記第１メッセージを上記訪問先ローカルユーザプレーンＶ−Ｌｏｃａｌ−ＵＰへ送信するよう構成される、項目２５に記載のネットワークデバイス。
（項目２７)
ネットワークデバイスであって、
ホームコアネットワーク制御プレーンＨ−ＣＰによって送信された、加入サービスのためのローカルブレイクアウトＬＢＯポリシーを受信することであって、上記加入サービスは、ローカルブレイクアウトが実行される必要がある、ユーザのためのサービスである、受信することを行うよう構成される受信ユニットと、
上記ＬＢＯポリシーをインストールするよう構成されるインストールユニットと、
上記Ｖ−Ｌｏｃａｌ−ＵＰが、訪問先コアネットワークユーザプレーンＶ−ＵＰによって送信されたサービスが加入サービスであると決定した場合、上記加入サービスのトラフィックを訪問先アプリケーションサーバＶ−ＡＳにオフロードするよう構成されるオフロードユニットと
を備えるネットワークデバイス。
（項目２８)
上記受信ユニットは具体的には、
ホームセッション管理機能Ｈ−ＳＭＦエンティティによって送信された、加入サービスのためのローカルブレイクアウトＬＢＯポリシーを受信するよう構成される、項目２７に記載のネットワークデバイス。
（項目２９)
命令を含むコンピュータ可読記憶媒体であって、上記命令がコンピュータ上で動作するとき、上記コンピュータは、項目１から１４のいずれか一項に記載の方法を実行することが可能になる、コンピュータ可読記憶媒体。
（項目３０)
命令を含むコンピュータプログラムプロダクトであって、上記コンピュータプログラムプロダクトがコンピュータ上で動作するとき、上記コンピュータは、項目１から１４のいずれか一項に記載の方法を実行することが可能になる、コンピュータプログラムプロダクト。
【国際調査報告】
2020532204.tif 000018
2020532204.tif 000019
2020532204.tif 000020
2020532204.tif 000021